(57)【要約】【課題】記録媒体に記録されたデータの管理を容易にし、記録媒体の利便性を向上させることができるようにする。【解決手段】  管理情報生成部４４は、光ディスク２１を識別する記録媒体識別情報を用いて、光ディスク２１を管理するための管理情報を生成し、管理情報保持部４５にそれを保持させ、必要なタイミングでその管理情報を多重化部３４に供給する。多重化部３４は、信号処理部３３より供給されるクリップデータに管理情報生成部４４より供給される管理情報を、必要に応じて多重化し、その結果を記録制御部３５に供給する。記録制御部３５は、ピックアップ部３６を制御し、多重化処理部より供給されたデータを光ディスク２１に記録させる。本発明は、例えば、記録装置に適用できる。【選択図】図２
2005309503.tif 000002
【特許請求の範囲】
【請求項１】
複数の記録媒体にデータを記録する情報処理装置において、
前記記録媒体を識別する記録媒体識別情報を用いて、前記データを記録する際の前記記録媒体の順序を管理する管理情報を生成する管理情報生成手段と、
前記管理情報生成手段により生成された前記管理情報を前記データに多重化する多重化手段と、
前記多重化手段により前記管理情報が多重化された前記データを前記記録媒体に記録する記録手段と
を備えることを特徴とする情報処理装置。
【請求項２】
複数の前記記録媒体のそれぞれから、前記記録媒体識別情報を読み出す情報読み出し手段をさらに備え、
前記管理情報生成手段は、前記情報読み出し手段により読み出された前記記録媒体識別情報を用いて前記管理情報を生成する
ことを特徴とする請求項１に記載の情報処理装置。
【請求項３】
前記多重化手段は、前記管理情報生成手段により生成された前記管理情報であり、前記順序において、前記データが記録される記録媒体の１つ前の記録媒体の記録媒体識別情報を含む管理情報を前記データに多重化する
ことを特徴とする請求項１に記載の情報処理装置。
【請求項４】
前記多重化手段は、前記管理情報生成手段により生成された前記管理情報であり、前記順序において、前記データが記録される記録媒体の１つ後の記録媒体の記録媒体識別情報を含む管理情報を前記データに多重化する
ことを特徴とする請求項１に記載の情報処理装置。
【請求項５】
前記管理情報生成手段により生成された前記管理情報の履歴を示す履歴情報を生成する履歴情報生成手段をさらに備え、
前記多重化手段は、前記管理情報の代わりに前記履歴情報生成手段により生成された前記履歴情報を前記データに多重化する
ことを特徴とする請求項１に記載の情報処理装置。
【請求項６】
前記順序に関する情報である順序情報の値を管理する順序情報管理手段をさらに備え、
前記管理情報生成手段は、前記順序情報管理手段により管理される前記順序情報を用いて前記管理情報を生成する
ことを特徴とする請求項１に記載の情報処理装置。
【請求項７】
前記データの集合である記録グループを識別する記録グループ識別情報を生成する記録グループ識別情報生成手段をさらに備え、
前記管理情報生成手段は、前記記録グループ識別情報生成手段により生成された前記記録グループ識別情報を用いて前記管理情報を生成する
ことを特徴とする請求項１に記載の情報処理装置。
【請求項８】
複数の記録媒体にデータを記録する情報処理装置の情報処理方法であって、
前記記録媒体を識別する記録媒体識別情報を用いて、前記データを記録する際の前記記録媒体の順序を管理する管理情報を生成する管理情報生成ステップと、
前記管理情報生成ステップの処理により生成された前記管理情報を前記データに多重化する多重化ステップと、
前記多重化ステップの処理により前記管理情報が多重化された前記データを前記記録媒体に記録するように制御する記録制御ステップと
を含むことを特徴とする情報処理方法。
【請求項９】
複数の記録媒体にデータを記録する処理を、コンピュータに行わせるプログラムにおいて、
前記記録媒体を識別する記録媒体識別情報を用いて、前記データを記録する際の前記記録媒体の順序を管理する管理情報を生成する管理情報生成ステップと、
前記管理情報生成ステップの処理により生成された前記管理情報を前記データに多重化する多重化ステップと、
前記多重化ステップの処理により前記管理情報が多重化された前記データを前記記録媒体に記録するように制御する記録制御ステップと
を含むことを特徴とするプログラム。
【請求項１０】
複数の記録媒体に記録されたデータを再生する情報処理装置において、
複数の前記記録媒体のそれぞれより、前記データを読み出す読み出し手段と、
前記読み出し手段により読み出された各データより、前記データが記録されていた記録媒体を識別するための記録媒体識別情報を抽出する抽出手段と、
前記抽出手段により抽出された前記記録媒体識別情報に基づいて、前記読み出し手段により読み出された複数の前記データの再生順を決定する再生順決定手段と、
前記再生順決定手段により決定された前記再生順に基づいて、前記読み出し手段により読み出された複数の前記データを再生するように制御する再生制御手段と
を備えることを特徴とする情報処理装置。
【請求項１１】
複数の記録媒体に記録されたデータを再生する情報処理装置の情報処理方法であって、
複数の前記記録媒体のそれぞれより、前記データを読み出すように制御する読み出し制御ステップと、
前記読み出し制御ステップの処理により制御されて読み出された各データより、前記データが記録されていた記録媒体を識別するための記録媒体識別情報を抽出する抽出ステップと、
前記抽出ステップの処理により抽出された前記記録媒体識別情報に基づいて、前記読み出し制御ステップの処理により制御されて読み出された複数の前記データの再生順を決定する再生順決定ステップと、
前記再生順決定ステップの処理により決定された前記再生順に基づいて、前記読み出し制御ステップの処理により制御されて読み出された複数の前記データを再生するように制御する再生制御ステップと
を含むことを特徴とする情報処理方法。
【請求項１２】
複数の記録媒体に記録されたデータを再生する処理を、コンピュータに行わせるプログラムにおいて、
複数の前記記録媒体のそれぞれより、前記データを読み出すように制御する読み出し制御ステップと、
前記読み出し制御ステップの処理により制御されて読み出された各データより、前記データが記録されていた記録媒体を識別するための記録媒体識別情報を抽出する抽出ステップと、
前記抽出ステップの処理により抽出された前記記録媒体識別情報に基づいて、前記読み出し制御ステップの処理により制御されて読み出された複数の前記データの再生順を決定する再生順決定ステップと、
前記再生順決定ステップの処理により決定された前記再生順に基づいて、前記読み出し制御ステップの処理により制御されて読み出された複数の前記データを再生するように制御する再生制御ステップと
を含むことを特徴とするプログラム。
【発明の詳細な説明】
【技術分野】
【０００１】
本発明は、情報処理装置および方法、並びにプログラムに関し、特に、例えば、記録媒体に記録されたデータの管理を容易にし、記録媒体の利便性を向上させることができるようにする情報処理装置および方法、並びにプログラムに関する。
【背景技術】
【０００２】
従来、撮影等により取得された画像データや音声データは、例えば、テープデバイス等の記録媒体に記録される。例えば、カムコーダ（登録商標）等の撮像記録装置は、撮像により得られた画像データ（および音声データ）に画像処理等の信号処理を施した後、それをテープデバイスや書き換え可能な光ディスクに記録する。また、近年においては、フラッシュメモリ等の半導体メモリに画像データや音声データを記録させるものもある（例えば、特許文献１および特許文献２参照）。このような半導体メモリとしては、予め装置内に組み込まれている内蔵型の半導体メモリや、プラスチック製等のカード型の筐体に半導体メモリが格納され、装置より脱着が可能なメモリカードがある。
【０００３】
テープデバイス、光ディスク、またはメモリカードの記録媒体は、通常、所定の容量毎に、メディア（筐体を有する記録媒体）として構成され、記録再生装置等より着脱できるようになされている。このようなメディアが記録可能な画像データの時間（録画時間）は、メディアの種類（記録媒体の種類や容量）や記録する信号の品質（ビットレート）等に依存するが、例えば、放送目的あるいは業務用途の信号品質が要求される場合、通常、メモリカードは数分乃至数十分程度の画像データが記録可能であり、光ディスク等のようなディスク媒体は数十分乃至２時間程度の画像データが記録可能であり、そして、テープデバイスのようなテープ媒体はスタジオ記録用で２時間程度、ポータブル用途で数十分程度の画像データが記録可能である。
【０００４】
以上のように、１つのメディアが記録可能な画像データの容量（すなわち、録画時間）には制限がある。従って、例えば、カムコーダのユーザが、このような記録媒体に画像データを記録する場合、空き容量が無くなると、ユーザはカムコーダに装着していたメディアを新たな（空き容量のある）メディアと交換することによって、空き容量を確保することができる。
【０００５】
すなわち、カムコーダのユーザは、長時間の録画を行い、１つのメディアに画像データを記録できない場合、複数のメディアを使用する。例えば、コンサート、演劇、またはスポーツイベント等においては、通常２，３時間程度の催しであり、場合によっては４時間あるいはそれ以上の催しとなる場合もある。従って、このような催し（上演）を録画する場合、通常、１つのメディアに全ての画像データを録画することは不可能である。
【０００６】
また、このように大規模な場合でなくても、例えば、既にある程度の画像データが記録されているメディアを再利用するような場合、すなわち、残りの空き容量が非常に少ないメディアを使用するような場合、空き容量が足りないので、ユーザはメディアを交換し、複数のメディアに一連の画像データを記録させる必要がある。
【０００７】
このように複数のメディアを使用する場合、ユーザは、どのメディアにどのデータが記録されているかを識別することが困難になる。そこで、ユーザが、画像データを記録した複数のメディアにどのようなデータが記録されたかを容易に識別することができるように、メディアのラベル部分等に手書きでその内容等を記入する方法が考えられる。例えば、ユーザが、１枚目のメディア（最初の画像データが記録されたメディア）のラベル部分に「１」と記入し、２枚目のメディア（２番目の画像データが記録されたメディア）のラベル部分に「２」と記入し、３枚目のメディア（３番目の画像データが記録されたメディア）のラベル部分に「３」と記入する。以降同様に順番を記入していく。このようにすることにより、ユーザは、後でメディアを見たときに、メディアの順番（記録されている画像データの順番）を容易に把握することができる。
【０００８】
【特許文献１】特開２００３−１８９１４７号公報
【特許文献２】特開２００３−３３３５２１号公報
【発明の開示】
【発明が解決しようとする課題】
【０００９】
しかしながら、上述したような方法の場合、ユーザが画像データを記録済みのメディアに手書きで順番を記入しなければならず、煩雑な作業を伴うという課題があった。また、ユーザは、順番を間違えないように、メディアを交換したその場で交換したメディアに順番を記入するのが望ましいが、例えば、１人で撮影を行っているような場合等、録画中にこのような作業を行うことが困難である場合が考えられる。また、その困難さにより、順番の記入作業が後回しにされる等して、ユーザが記入作業の際にメディアを取り違えてしまい、間違った順番をメディアに記入してしまう恐れもあった。
【００１０】
また、仮に、正確な順番を各メディアに記入したとしても、例えば、それらに記録された画像データを再生する際に、再生装置は、通常、その記入された順番を読み取ることができないので、ユーザは、その記入された順番を目視で確認しながら各メディアを取り扱わなければならない。従って、ユーザは、このような再生作業の際に、煩雑な作業を要するという課題があった。さらに、その煩雑さにより、ユーザは、その取扱いを誤って間違った順番で再生してしまう恐れがあるという課題もあった。
【００１１】
本発明は、このような状況に鑑みてなされたものであり、記録媒体に記録されたデータの管理を容易にし、記録媒体の利便性を向上させることができるようにするものである。
【課題を解決するための手段】
【００１２】
本発明の第１の情報処理装置は、記録媒体を識別する記録媒体識別情報を用いて、データを記録する際の記録媒体の順序を管理する管理情報を生成する管理情報生成手段と、管理情報生成手段により生成された管理情報をデータに多重化する多重化手段と、多重化手段により管理情報が多重化されたデータを記録媒体に記録する記録手段とを備えることを特徴とする。
【００１３】
複数の前記記録媒体のそれぞれから、記録媒体識別情報を読み出す情報読み出し手段をさらに備え、管理情報生成手段は、情報読み出し手段により読み出された記録媒体識別情報を用いて管理情報を生成するようにすることができる。
【００１４】
前記多重化手段は、管理情報生成手段により生成された管理情報であり、順序において、データが記録される記録媒体の１つ前の記録媒体の記録媒体識別情報を含む管理情報をデータに多重化するようにすることができる。
【００１５】
前記多重化手段は、管理情報生成手段により生成された管理情報であり、順序において、データが記録される記録媒体の１つ後の記録媒体の記録媒体識別情報を含む管理情報をデータに多重化するようにすることができる。
【００１６】
前記管理情報生成手段により生成された管理情報の履歴を示す履歴情報を生成する履歴情報生成手段をさらに備え、多重化手段は、管理情報の代わりに履歴情報生成手段により生成された履歴情報をデータに多重化するようにすることができる。
【００１７】
前記順序に関する情報である順序情報の値を管理する順序情報管理手段をさらに備え、管理情報生成手段は、順序情報管理手段により管理される順序情報を用いて管理情報を生成するようにすることができる。
【００１８】
前記データの集合である記録グループを識別する記録グループ識別情報を生成する記録グループ識別情報生成手段をさらに備え、管理情報生成手段は、記録グループ識別情報生成手段により生成された記録グループ識別情報を用いて管理情報を生成するようにすることができる。
【００１９】
本発明の第１の情報処理方法は、記録媒体を識別する記録媒体識別情報を用いて、データを記録する際の記録媒体の順序を管理する管理情報を生成する管理情報生成ステップと、管理情報生成ステップの処理により生成された管理情報をデータに多重化する多重化ステップと、多重化ステップの処理により管理情報が多重化されたデータを記録媒体に記録するように制御する記録制御ステップとを含むことを特徴とする。
【００２０】
本発明の第１のプログラムは、記録媒体を識別する記録媒体識別情報を用いて、データを記録する際の記録媒体の順序を管理する管理情報を生成する管理情報生成ステップと、管理情報生成ステップの処理により生成された管理情報をデータに多重化する多重化ステップと、多重化ステップの処理により管理情報が多重化されたデータを記録媒体に記録するように制御する記録制御ステップとをコンピュータに実行させる。
【００２１】
本発明の第２の情報処理装置は、複数の記録媒体のそれぞれより、データを読み出す読み出し手段と、読み出し手段により読み出された各データより、データが記録されていた記録媒体を識別するための記録媒体識別情報を抽出する抽出手段と、抽出手段により抽出された記録媒体識別情報に基づいて、読み出し手段により読み出された複数のデータの再生順を決定する再生順決定手段と、再生順決定手段により決定された再生順に基づいて、読み出し手段により読み出された複数のデータを再生するように制御する再生制御手段とを備えることを特徴とする。
【００２２】
本発明の第２の情報処理方法は、複数の記録媒体のそれぞれより、データを読み出すように制御する読み出し制御ステップと、読み出し制御ステップの処理により制御されて読み出された各データより、データが記録されていた記録媒体を識別するための記録媒体識別情報を抽出する抽出ステップと、抽出ステップの処理により抽出された記録媒体識別情報に基づいて、読み出し制御ステップの処理により制御されて読み出された複数のデータの再生順を決定する再生順決定ステップと、再生順決定ステップの処理により決定された再生順に基づいて、読み出し制御ステップの処理により制御されて読み出された複数のデータを再生するように制御する再生制御ステップとを含むことを特徴とする。
【００２３】
本発明の第２のプログラムは、複数の記録媒体のそれぞれより、データを読み出すように制御する読み出し制御ステップと、読み出し制御ステップの処理により制御されて読み出された各データより、データが記録されていた記録媒体を識別するための記録媒体識別情報を抽出する抽出ステップと、抽出ステップの処理により抽出された記録媒体識別情報に基づいて、読み出し制御ステップの処理により制御されて読み出された複数のデータの再生順を決定する再生順決定ステップと、再生順決定ステップの処理により決定された再生順に基づいて、読み出し制御ステップの処理により制御されて読み出された複数のデータを再生するように制御する再生制御ステップとをコンピュータに実行させる。
【００２４】
本発明の第１の情報処理装置および方法、並びに第１のプログラムにおいては、記録媒体を識別する記録媒体識別情報を用いて、データを記録する際の記録媒体の順序を管理する管理情報が生成され、その生成された管理情報がデータに多重化され、管理情報が多重化されたデータが記録媒体に記録される。
【００２５】
本発明の第２の情報処理装置および方法、並びに第２のプログラムにおいては、複数の記録媒体のそれぞれより、データが読み出されるように制御され、読み出された各データより、データが記録されていた記録媒体を識別するための記録媒体識別情報が抽出され、抽出された記録媒体識別情報に基づいて、複数のデータの再生順が決定され、その再生順に基づいて、複数のデータが再生されるように制御される。
【発明の効果】
【００２６】
本発明によれば、記録媒体に記録されたデータの管理を容易にし、記録媒体の利便性を向上させることができるようにデータを記録媒体に記録することができる。
【発明を実施するための最良の形態】
【００２７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定したりするものではない。
【００２９】
本発明においては、複数の記録媒体にデータを記録する情報処理装置（例えば、図１の記録装置１３）が提供される。この情報処理装置では、記録媒体を識別する記録媒体識別情報を用いて、データを記録する際の記録媒体の順序を管理する管理情報（例えば、図４の管理情報７１）を生成する管理情報生成手段（例えば、図２の管理情報生成部４４）と、管理情報生成手段により生成された管理情報をデータに多重化する多重化手段（例えば、図２の多重化部３４）と、多重化手段により管理情報が多重化されたデータを記録媒体に記録する記録手段（例えば、図２の記録制御部３５）とを備える。
【００３０】
複数の前記記録媒体のそれぞれから、記録媒体識別情報を読み出す情報読み出し手段（例えば、図２の情報読み出し部４６）をさらに備え、管理情報生成手段は、情報読み出し手段により読み出された記録媒体識別情報（例えば、図３の記録媒体識別情報５１）を用いて管理情報を生成するようにすることができる。
【００３１】
前記多重化手段は、管理情報生成手段により生成された管理情報であり、順序において、データが記録される記録媒体（例えば、図１０の光ディスク２１−２）の１つ前の記録媒体（例えば、図１０の光ディスク２１−１）の記録媒体識別情報（例えば、図１０の記録媒体識別情報５１−１）を含む管理情報（例えば、図１０の管理情報７１−２）をデータに多重化するようにすることができる。
【００３２】
前記多重化手段は、管理情報生成手段により生成された管理情報であり、順序において、データが記録される記録媒体（例えば、図２２の光ディスク２１−１）の１つ後の記録媒体（例えば、図２２の光ディスク２１−２）の記録媒体識別情報（例えば、図１０の記録媒体識別情報５１−２）を含む管理情報（例えば、図１０の管理情報７１−１）をデータに多重化するようにすることができる。
【００３３】
前記管理情報生成手段により生成された管理情報の履歴を示す履歴情報（例えば、図６の履歴情報１１１）を生成する履歴情報生成手段（例えば、図２の履歴情報生成部４３）をさらに備え、多重化手段は、管理情報の代わりに履歴情報生成手段により生成された履歴情報をデータに多重化するようにすることができる。
【００３４】
前記順序に関する情報である順序情報（例えば、図１３の順序情報１３１）の値を管理する順序情報管理手段（例えば、図１３の順序情報管理部１３２）をさらに備え、管理情報生成手段は、順序情報管理手段により管理される順序情報を用いて管理情報を生成するようにすることができる。
【００３５】
前記データの集合である記録グループを識別する記録グループ識別情報（例えば、図１５の記録グループ識別情報１４１）を生成する記録グループ識別情報生成手段（例えば、図１５の記録グループ識別情報生成部１４２）をさらに備え、管理情報生成手段は、記録グループ識別情報生成手段により生成された記録グループ識別情報を用いて管理情報を生成するようにすることができる。
【００３６】
本発明においては、複数の記録媒体にデータを記録する情報処理装置（例えば、図１の記録装置１３）の情報処理方法が提供される。この情報処理方法においては、記録媒体を識別する記録媒体識別情報を用いて、データを記録する際の記録媒体の順序を管理する管理情報（例えば、図４の管理情報７１）を生成する管理情報生成ステップ（例えば、図８のステップＳ２５）と、管理情報生成ステップの処理により生成された管理情報をデータに多重化する多重化ステップ（例えば、図９のステップＳ４４）と、多重化ステップの処理により管理情報が多重化されたデータを記録媒体に記録するように制御する記録制御ステップ（例えば、図９のステップＳ４５）とを含む。
【００３７】
本発明においては、複数の記録媒体にデータを記録する処理を、コンピュータ（例えば、図１の記録装置１３）に行わせるプログラムが提供される。このプログラムは、記録媒体を識別する記録媒体識別情報を用いて、データを記録する際の記録媒体の順序を管理する管理情報（例えば、図４の管理情報７１）を生成する管理情報生成ステップ（例えば、図８のステップＳ２５）と、管理情報生成ステップの処理により生成された管理情報をデータに多重化する多重化ステップ（例えば、図９のステップＳ４４）と、多重化ステップの処理により管理情報が多重化されたデータを記録媒体に記録するように制御する記録制御ステップ（例えば、図９のステップＳ４５）とを含む。
【００３８】
本発明においては、複数の記録媒体に記録されたデータを再生する情報処理装置（例えば、図２５の再生装置２０１）が提供される。この情報処理装置では、複数の前記記録媒体のそれぞれより、前記データを読み出す読み出し手段（例えば、図２５の読み出し制御部２１３）と、前記読み出し手段により読み出された各データより、前記データが記録されていた記録媒体を識別するための記録媒体識別情報を抽出する抽出手段（例えば、図２５の記録媒体識別情報抽出部２２２）と、前記抽出手段により抽出された前記記録媒体識別情報に基づいて、前記読み出し手段により読み出された複数の前記データの再生順を決定する再生順決定手段（例えば、図２６のステップＳ１９３の処理を実行する図２５の制御部２２１）と、前記再生順決定手段により決定された前記再生順に基づいて、前記読み出し手段により読み出された複数の前記データを再生するように制御する再生制御手段（例えば、図２５の連続再生制御部２２３）とを備える。
【００３９】
本発明においては、複数の記録媒体に記録されたデータを再生する情報処理装置（例えば、図２５の再生装置２０１）の情報処理方法が提供される。この情報処理方法においては、複数の前記記録媒体のそれぞれより、前記データを読み出すように制御する読み出し制御ステップ（例えば、図２６のステップＳ１９１）と、前記読み出し制御ステップの処理により制御されて読み出された各データより、前記データが記録されていた記録媒体を識別するための記録媒体識別情報を抽出する抽出ステップ（例えば、図２６のステップＳ１９２）と、前記抽出ステップの処理により抽出された前記記録媒体識別情報に基づいて、前記読み出し制御ステップの処理により制御されて読み出された複数の前記データの再生順を決定する再生順決定ステップ（例えば、図２６のステップＳ１９３）と、前記再生順決定ステップの処理により決定された前記再生順に基づいて、前記読み出し制御ステップの処理により制御されて読み出された複数の前記データを再生するように制御する再生制御ステップ（例えば、図２６のステップＳ１９５）とを含む。
【００４０】
本発明においては、複数の記録媒体に記録されたデータを再生する処理を、コンピュータ（例えば、図２５の再生装置２０１）に行わせるプログラムが提供される。このプログラムは、複数の前記記録媒体のそれぞれより、前記データを読み出すように制御する読み出し制御ステップ（例えば、図２６のステップＳ１９１）と、前記読み出し制御ステップの処理により制御されて読み出された各データより、前記データが記録されていた記録媒体を識別するための記録媒体識別情報を抽出する抽出ステップ（例えば、図２６のステップＳ１９２）と、前記抽出ステップの処理により抽出された前記記録媒体識別情報に基づいて、前記読み出し制御ステップの処理により制御されて読み出された複数の前記データの再生順を決定する再生順決定ステップ（例えば、図２６のステップＳ１９３）と、前記再生順決定ステップの処理により決定された前記再生順に基づいて、前記読み出し制御ステップの処理により制御されて読み出された複数の前記データを再生するように制御する再生制御ステップ（例えば、図２６のステップＳ１９５）とを含む。
【００４１】
以下に、本発明の実施の形態について図面を参照して説明する。
【００４２】
図１は、本発明を適用した、ネットワークシステムの一実施の形態の構成例を示している。
【００４３】
このネットワークシステム１は、撮像装置１１、ネットワーク１２、および記録装置１３により構成される。図１に示されるように、撮像装置１１は、ネットワーク１２を介して記録装置１３に接続されており、撮像装置１１が撮像し得られたクリップデータ（画像データや音声データを含む）は、ネットワーク１２を介して記録装置１３に供給され、記録装置１３において、複数の光ディスクに記録される。記録装置１３においては、クリップデータが記録される光ディスクが所定のドライブに装着されており、その空き容量が無くなる度に、ユーザがその光ディスクを新しい光ディスク（ブランクメディア）に交換する。すなわち、撮像装置１１において撮像して得られたクリップデータは、光ディスク２１−１、光ディスク２１−２、光ディスク２１−３、・・・のように、複数の光ディスクに記録される。
【００４４】
なお、以下において、１つの光ディスクについて説明する場合や、複数の光ディスクを分けて説明する必要の無い場合、光ディスク２１と称する。複数の光ディスク２１のそれぞれを特に分けて説明する必要がある場合のみ、例えば、光ディスク２１−１、光ディスク２１−２、光ディスク２１−３、・・・のように称する。
【００４５】
なお、クリップとは、撮影者が撮像を開始して終了するまでの１回の撮像処理を示す単位である。すなわち、１つのクリップの画像信号は、通常、複数のフレームの画像信号からなる。なお、クリップは、１回の撮像処理を示すだけでなく、その撮像処理の撮像開始から撮像終了までの時間を示す場合にも用いられる。また、クリップは、その１回の撮像処理により得られる画像データの長さやデータ量を示したり、その画像データ自体を示したりする場合にも用いられるし、その１回の撮像処理により得られる（または関連する）各種のデータの長さやデータ量を示したり、その各種のデータの集合体そのものを示したりする場合にも用いられる。なお、それらはクリップデータと称する場合もある。具体的には、クリップ（クリップデータ）に含まれるデータとして、例えば、画像データおよび音声データの素材データの他に、その素材データに関連する各種メタデータ、その素材データの低解像度のデータであるローレゾデータ、またはその素材データの再生方法等を制御するプレイリストデータ等も含まれる。詳細については後述する。
【００４６】
図２は、図１の記録装置１３の構成例を示すブロック図である。
【００４７】
図２に示されるように、記録装置１３は、光ディスク管理部３１、通信インタフェース部（通信I/F部）３２、信号処理部３３、多重化部３４、記録制御部３５、およびピックアップ部３６により構成される。
【００４８】
光ディスク管理部３１は、光ディスクの管理に関する処理を行う処理部であり、制御部４１、履歴情報保持部４２、履歴情報生成部４３、管理情報生成部４４、管理情報保持部４５、情報読み出し部４６、入力部４７、および出力部４８により構成される。
【００４９】
制御部４１は、CPU（Central Processing Unit）、ROM（Read Only Memory）、およびRAM（Random Access Memory）等により構成され、記録装置１３全体の制御に関する処理を行う。また、制御部４１は、情報読み出し部４６において読み出された情報を管理情報生成部４４に供給する。なお、図２においては、このデータの流れを示す矢印（すなわち、情報読み出し部４６からの矢印と、管理情報生成部４４への矢印）しか示しておらず、省略されているが、実際には、記録装置１３の各部を制御可能となるように、制御バスやデータバスを介して各部と接続されており、各部と制御情報やデータのやり取りを行うことができるようになされている。
【００５０】
履歴情報保持部４２は、例えば、半導体メモリ等の記憶素子を有しており、履歴情報生成部４３により生成された履歴情報を保持する。履歴情報生成部４３は、管理情報生成部４４において生成される管理情報の履歴情報を生成する。詳細については後述する。
【００５１】
管理情報生成部４４は、制御部４１より供給される光ディスク２１に関する情報に基づいて、光ディスク２１を管理するための管理情報を生成する。詳細については後述する。管理情報保持部４５は、管理情報生成部４４において生成された管理情報を保持する。
【００５２】
情報読み出し部４６は、ピックアップ部３６を制御して、光ディスク２１より光ディスク２１を識別するための情報である記録媒体識別情報を読み出し、それを、制御部４１を介して管理情報生成部４４に供給する。
【００５３】
入力部４７は、各種のボタン、スイッチ、調節器、キーボード、マウス、タッチパッド、タッチペン、タッチパネル、マイクまたはポインタデバイス等を含み、ユーザからの指示を受け付け、その制御情報を制御部４１に供給する。出力部４８は、例えば、スピーカ、CRT（Cathode Ray Tube）やLCD（Liquid Crystal Display）等のディスプレイ、または、LED（Light Emitting Diode）や蛍光灯等の発光部等により構成され、制御部４１より供給される出力情報を適宜出力する。
【００５４】
通信インタフェース部３２は、ネットワーク１２に接続され、撮像装置１１と通信を行い、撮像装置１１より供給されるクリップデータを取得し、それを信号処理部３３に供給する。信号処理部３３は、通信インタフェース部３２より供給されるクリップデータに、例えば、フォーマット変換等の所定の信号処理を施し、その処理結果を多重化部３４に供給する。
【００５５】
多重化部３４は、信号処理部３３より供給されるクリップデータ、履歴情報生成部４３より供給される履歴情報、および管理情報生成部４４より供給される管理情報を、必要に応じて多重化し、その結果を記録制御部３５に供給する。記録制御部３５は、ピックアップ部３６を制御し、多重化処理部より供給されたデータを光ディスク２１に記録させる。
【００５６】
ピックアップ部３６は、所定のドライブに装着された光ディスク２１にレーザ光を照射し、必要に応じてデータを読み出したり、書き込んだりする。
【００５７】
図３は、光ディスク２１を識別するための記録媒体識別情報の例を説明するための図である。
【００５８】
記録媒体識別情報５１としては、少なくとも、ネットワークシステム１内において、予め定められた物であれば、どのようなものであってもよいが、例えば、図３に示されるように、BCA（Burst Cutting Area）情報５２、製造番号情報５３、IP（Internet Protocol）アドレス（IPv６）情報５４、名称５５、ボリューム情報（UDF（Universal Disk Format））５６、または、それらを用いたハッシュ値５７等が考えられる。
【００５９】
BCA情報５２は、光ディスク２１のハブ近くのゾーンにYAGレーザで刻まれたバーコードゾーンにバーコードとして記述される情報のことであり、各メディアをユニーク（固有）に識別するための情報である。バーコードカッティングは、スタンピング工程から独立しているので、各ディスクには、例えばシリアルIDのようなユニークなデータを記録することができる。このBCA情報５２は、ピックアップ部３６が照射するレーザ光によって、読み取り可能である。
【００６０】
製造番号情報５３は、光ディスク２１の製造を管理するための情報である。この製造番号情報５３を使用することにより、各メディアはユニークに識別される。IPアドレス（IPv６）情報５４は、IPプロトコルにおいて使用される識別番号であり、IPv６の場合１２８ビットの情報である。これを用いることにより、各メディア単位の識別も可能になる。
【００６１】
名称５５は、光ディスク２１に独自に割り当てられた任意の名称である。すなわち、ネットワークシステム１の各装置が他のシステムとは独立して各メディアに予め割り当てた名称のことである。従って、この名称５５を用いることにより、少なくとも、システム内においては、各メディアを個体識別することができるようにすることも可能である。ボリューム情報（UDF）５６は、光ディスク５６の記録領域の論理フォーマット（例えばUDF）において、その論理領域（ボリューム）に割り当てられる名称のことである。
【００６２】
ハッシュ値５７は、BCA情報５２、製造番号情報５３、IPアドレス（IPv６）情報５４、名称５５、および、ボリューム情報（UDF）５６の内、少なくとも１つを用いて生成される固定長の擬似乱数である。
【００６３】
図２の情報読み出し部４６は、このような情報により構成される記録媒体識別情報５１を光ディスク２１より読み出し（ピックアップ部３６に読み出させ）、制御部４１を介して管理情報生成部４４に供給する。
【００６４】
図４は、その管理情報生成部４４および管理情報保持部４５における管理情報について説明する図である。
【００６５】
図４において、管理情報生成部４４は、制御部４１より供給される記録媒体識別情報５１を取得すると、その他の情報６１と合成し、管理情報７１を生成する。そして、管理情報生成部４４は、生成した管理情報７１を管理情報保持部４５の第２管理情報保持領域８２に供給して保持させる。管理情報保持部４５の保持領域は、第１管理情報保持領域８１と、第２管理情報保持領域８２の２つに分割され、それぞれ、管理情報７１Ａと管理情報７１Ｂが保持される。管理情報７１Ａは、管理情報７１Ｂの１つ前に生成された管理情報７１である。
【００６６】
管理情報生成部４４は、第１管理情報保持領域８１より管理情報７１Ａを取得し、それを多重化部３４に供給する。第１管理情報保持領域８１より管理情報７１Ａが読み出されると、第１管理情報保持領域８１の管理情報７１Ａは消去され、第２管理情報保持領域８２に保持されている管理情報７１Ｂが第１管理情報保持領域８１に移動され、格納される。そして、第２管理情報保持領域８２が空き領域となり、次の管理情報７１を格納することができるようになる。
【００６７】
図５は、信号処理部３３より多重化部３４に供給されるクリップデータのフォーマットの例を示す図である。図５は、記録用のフォーマットであるAV独立フォーマットの例を示している。
【００６８】
AV独立フォーマットでは、伝送用のフォーマットである標準AV多重フォーマット（図示せず）において多重化されているビデオデータ、オーディオデータ、ファイル単位のメタデータ、ユーザデータ（クリップデータを構成する各種のデータ）が、それぞれまとめて配置されたファイルとされる。
【００６９】
即ち、AV独立フォーマットでは、標準AV多重フォーマットにおいてビデオデータが配置されるピクチャアイテム(Picture Item)がまとめてボディに配置され、さらに、そのボディに、標準AV多重フォーマットと同一形式のヘッダ（Header Metadata）１０１とフッタが付加されて、ビデオファイル９１が構成される。
【００７０】
なお、AV独立フォーマットのビデオファイル９１のボディには、光ディスク２１のセクタ長の整数倍のピクチャアイテムがまとめて配置されているため、そのボディ全体の大きさも、光ディスク２１のセクタ長の整数倍になっている。即ち、AV独立フォーマットのビデオファイル９１のボディは、セクタアラインメント(sector alignment)がとれた大きさとなっている。
【００７１】
また、MXFでは、インデックステーブルはオプションであり、図５のビデオファイル９１では（後述するオーディオファイルでも同様）、インデックステーブルを採用していない。
【００７２】
AV独立フィーマットでは、標準AV多重フォーマットにおいてサウンドアイテムに配置される、多重化された８チャンネルのオーディオデータを、各チャンネルのオーディオデータに分離したものであって、AES3形式からWAVE形式に変換したものが、各チャネルのファイルのボディに、KLV構造で配置され、さらに、そのボディに、標準AV多重フォーマットと同一形式のヘッダ（Header Metadata）１０２−１乃至１０２−８のいずれかとフッタが付加されて、オーディオファイル９２−１乃至９２−８が構成される。
【００７３】
即ち、AV独立フォーマットでは、８チャンネルのオーディオデータについて、各チャネルのオーディオファイル９２−１乃至９２−８が、独立に構成される。各チャネルのオーディオファイルは、そのチャネルのオーディオデータをWAVE形式にし、かつまとめてKLV構造化したものが、ボディに配置され、さらに、そのボディに、標準AV多重フォーマットと同一形式のヘッダとフッタが付加されて構成される。
【００７４】
なお、AV独立フォーマットのオーディオファイル９２−１乃至９２−８のボディには、上述したように、あるチャネルのWAVE形式のオーディオデータをまとめてKLV構造化したものが配置されるが、このオーディオデータ全体の大きさが、光ディスク２１のセクタ長の整数倍になるとは限らない。そこで、セクタアラインメントをとるために、AV独立フォーマットのオーディオファイル９２−１乃至９２−８のボディには、KLV構造のオーディオデータの後に、セクタアライメントをとるのに必要な分のKLV構造のフィラーが配置される。
【００７５】
AV独立フォーマットでは、以上のようなビデオファイル９１、８チャネルそれぞれごとのオーディオファイル９２−１乃至９２−８の他、標準AV多重フォーマットにおいてヘッダメタデータに配置されるファイル単位のメタデータがまとめて配置されたファイル単位のメタデータファイル９３と、標準AV多重フォーマットにおいてフレーム単位のメタデータが配置されたシステムアイテムがまとめて配置されたフレーム単位のメタデータファイル９４が構成される。さらに、AV独立フォーマットでは、標準AV多重フォーマットにおいてユーザデータが配置されたオグジュアリアイテムがまとめて配置されたオグジュアリファイル９５が構成される。
【００７６】
そして、AV独立フォーマットでは、ビデオファイル９１、８チャネルそれぞれごとのオーディオファイル９２−１乃至９２−８、ファイル単位のメタデータファイル９３、フレーム単位のメタデータファイル９４、オグジュアリファイル９５それぞれへのポインタが記述されたマスタファイル(master File)が構成される。
【００７７】
即ち、マスタファイルは、例えば、XML(Extensible Markup Language)で記述され、そこには、ビデオファイル９１、８チャネルそれぞれごとのオーディオファイル９２−１乃至９２−８、ファイル単位のメタデータファイル９３、フレーム単位のメタデータファイル９４、オグジュアリファイル９５それぞれへのポインタとして、例えば、各ファイルのファイル名が記述される。
【００７８】
従って、マスタファイルから、ビデオファイル９１、８チャネルそれぞれごとのオーディオファイル９２−１乃至９２−８、ファイル単位のメタデータファイル９３、フレーム単位のメタデータファイル９４、オグジュアリファイル９５を参照することができる。
【００７９】
なお、例えば、オグジュアリファイル９５は、オプショナルなファイルとすることができる。
【００８０】
多重化部３４は、必要に応じて、管理情報生成部４４より供給された管理情報７１や、履歴情報生成部４３より供給された履歴情報を、図５に示されるAV独立フォーマットのクリップデータの、例えば、ファイル単位のメタデータ９３に多重化し、それを記録制御部３５に供給する。なお、多重化する位置（ファイル）は、これ以外にも、例えば、フレーム単位のメタデータ９４であってもよいし、オグジュアリファイル９５であってもよいし、ビデオファイル９１のヘッダメタデータ１０１であってもよいし、オーディオファイル９２−１乃至９２−８の各ヘッダメタデータ１０２−１乃至１０２−８であってもよい。また、管理情報７１や履歴情報が、それらのいくつかに分けて多重化されるようにしてももちろんよいし、その多重化する位置が毎回変化するようにしてももちろんよい。さらに管理情報７１または履歴情報の少なくとも一方が、上述したファイルと独立したファイルとして構成されるようにしてももちろんよい。
【００８１】
このように管理情報７１や履歴情報がクリップデータに多重化されて光ディスク２１に記録されるので、後述するように、１つ前の光ディスク２１の情報が記録される。従って、この記録装置１３は、記録媒体に記録されたデータの管理を容易にし、記録媒体の利便性を向上させることができる。
【００８２】
図６は、履歴情報について説明する図である。図６において、履歴情報生成部４３は、管理情報生成部４４より供給される管理情報７１をテーブル化して順次保存した履歴情報１１１を生成する。すなわち、履歴情報１１１は、過去に管理情報生成部４４において生成され、履歴情報供給部４３に供給された管理情報７１がリスト化（テーブル化）された情報である。管理情報７１には、図４に示されるように、記録媒体識別情報５１が含まれるので、この履歴情報１１１（すなわち、管理情報７１の履歴）は、使用された記録媒体のリスト（すなわち、光ディスク２１の履歴情報）となる。このような履歴情報１１１により、使用された複数の光ディスク２１の前後関係（それらに記録されたクリップデータの前後関係）が明確になる。
【００８３】
そして、この１つの履歴情報１１１としてリスト化される管理情報７１（管理情報７１に対応する光ディスク２１）は、一連の撮像により得られるクリップデータ群（１つのグループとされるクリップデータ群）に対応する。すなわち、新たなグループとして撮像を行う場合、ユーザは、この履歴情報１１１を閉じ、新たな履歴情報１１１として管理情報７１の履歴を生成する。このような履歴情報１１１は、履歴情報保持部４２に供給され、履歴情報単位で管理される（履歴情報１１１−１乃至１１１−３）。
【００８４】
次に、記録装置１３により実行される具体的な処理について説明する。なお、以下においては、本発明に関係する特徴的な処理についてのみ説明する。また、各処理についても同様に処理される部分の説明は適宜省略する。
【００８５】
最初に、図７のフローチャートを参照して、図２の記録装置１３の制御部４１により実行される、光ディスク管理部３１の各部の初期化処理を説明する。
【００８６】
初期化処理を開始した制御部４１は、最初に、ステップＳ１において、管理情報保持部４５を初期化し、管理情報保持部４５が保持している全ての管理情報を削除させる。次に、制御部４１は、ステップＳ２において、管理情報生成部４４を初期化し、保持しているデータを全て削除させる。さらに、制御部４１は、ステップＳ３において、履歴情報生成部４３を初期化し、保持している履歴情報１１１を削除させる。ステップＳ３の処理を終了した制御部４１は、初期化処理を終了する。
【００８７】
次に、新たな光ディスク２１が記録装置１３のドライブ（図示せず）に装着される際の処理について説明する。ドライブに新たな光ディスク２１が装着された場合、その光ディスク２１の記録媒体識別情報５１を用いて、次に装着される光ディスク２１に記録するための管理情報７１を生成しておかなければならない。そこで、光ディスク管理部３１の各部は、ドライブに光ディスク２１が装着された場合、管理情報準備処理を実行する。図８のフローチャートを参照して、管理情報準備処理を説明する。
【００８８】
管理情報準備処理を開始した制御部４１は、最初に、ステップＳ２１において、ピックアップ部３６等を制御し、ドライブに装着された光ディスク２１を検査する。すなわち、制御部４１は、情報読み出し部４６やピックアップ部３６を制御し、光ディスク２１より記録媒体識別情報５１を読み出させる。そして、その記録媒体識別情報５１を取得すると、制御部４１は、管理情報生成部４４、管理情報保持部４５、履歴情報生成部４３、および履歴情報保持部４２を制御し、その識別情報に対応する管理情報７１または履歴情報１１１を保持しているか否かを判定することで、装着された光ディスク２１が新しい光ディスクであるか否かを検査する。
【００８９】
そして、ステップＳ２２において、制御部４１は、その検査結果に基づいて、装着された光ディスク２１が新たな光ディスクであるか否かを判定する。新たな光ディスクであると判定した場合、制御部４１は、処理をステップＳ２３に進める。ステップＳ２３において、管理情報保持部４５は、第２管理情報７１Ｂで第１管理情報７１Ａを更新（上書き）する。制御部４１は、ステップＳ２４において、情報読み出し部４６とピックアップ部３６を制御して、ドライブに装着されている光ディスク２１の記録媒体識別情報５１を取得し、それを管理情報生成部４４に供給する。管理情報生成部４４は、ステップＳ２５において、その記録媒体識別情報５１に基づいて、管理情報７１を生成し、それを管理情報保持部４５に供給する。ステップＳ２６において、管理情報保持部４５は、管理情報生成部４４が新たに生成した管理情報７１を第２管理情報７１Ｂとして第２管理情報保持領域８２に保持する。また、管理情報生成部４４は、生成した管理情報７１を履歴情報生成部４３にも供給する。履歴情報生成部４３は、ステップＳ２７において、その管理情報を用いて、リストを追加するように履歴情報を生成し、それを履歴情報保持部４２に供給する。履歴情報保持部４２は、ステップＳ２８において、その履歴情報を保持すると、管理情報準備処理を終了する。
【００９０】
また、ステップＳ２２において、ドライブに装着された光ディスク２１が新たな光ディスクではないと判定した場合、制御部４１は、ステップＳ２９に処理を進め、エラー処理を行った後、管理情報準備処理を終了する。
【００９１】
以上のように、光ディスク２１が装着された時に、光ディスク２１の次の光ディスクに記録するための管理情報を生成し、保持するので、記録装置１３は、１つ前の光ディスクに関する情報を光ディスク２１に記録することができる。これにより、再生装置が光ディスク２１の前後関係を認識することができるので、記録装置１３は、記録媒体に記録されたデータの管理を容易にし、記録媒体の利便性を向上させることができる。
【００９２】
次に、その管理情報７１を記録する処理について、図９のフローチャートを参照して説明する。
【００９３】
最初に、信号処理部３３は、ステップＳ４１において、通信インタフェース部３２より供給された記録用データであるクリップデータを信号処理し、それを多重化部３４に供給する。制御部４１は、ステップＳ４２において、信号処理部３３より供給された記録用データ（クリップデータ）に管理情報７１を多重化するか否かを判定し、多重化すると判定した場合、処理をステップＳ４３に進める。管理情報生成部４４は、制御部４１に制御され、管理情報保持部４５が第１管理情報保持領域８１に保持している第１管理情報７１Ａを読み出し、それを多重化部３４に供給する。多重化部３４は、ステップＳ４４において、記録用データ（クリップデータ）と管理情報７１を多重化し、それを管理情報７１として記録制御部３５に供給する。記録制御部３５は、ステップＳ４５において、供給された管理情報７１および記録用データ（多重化された２つのデータ）を光ディスク２１に記録し、記録処理を終了する。
【００９４】
また、ステップＳ４２において、管理情報７１を記録用データに多重化しないと判定した場合、制御部４１は、記録処理を終了する。
【００９５】
以上のように、記録用データに管理情報７１を多重化してから光ディスク２１に記録するので、制御部４１は、容易に、１つ前の光ディスクの情報を、現在の光ディスク２１に記録することができる。従って、記録装置１３は、記録媒体に記録されたデータの管理を容易にし、記録媒体の利便性を向上させることができる
【００９６】
すなわち、図１０に示されるように、初期化処理直後、すなわちグループの最初の光ディスク（光ディスクNo.1）２１−１は、記録媒体識別情報「ABCD12301」５１−１を有している。この光ディスク２１−１より前の光ディスクは存在しないので、この光ディスク２１−１には、予め定められた所定の初期値１２１を用いて生成された管理情報７１−１が記録される。これにより、例えば、再生装置は、この管理情報７１−１に基づいて、この光ディスク２１−１が１枚目の光ディスク（すなわち、最初の画像データが記録された光ディスク）であることを判別することができる。
【００９７】
次に２枚目の光ディスク（光ディスクNo.2）２１−２は、記録媒体識別情報「ABEF98704」５１−２を有している。この光ディスク２１−２には、管理情報７１−２が記録される。管理情報７１−２には、光ディスク２１−２の１つ前の光ディスク２１−１の記録媒体識別情報５１−１が記録される。これにより、例えば、再生装置は、この管理情報７１−２に基づいて、この光ディスク２１−２の１つ前の光ディスク（すなわち、この光ディスクに記録されている画像データの１つ前の画像データが記録されている光ディスク）が光ディスク２１−１であることを判別することができる。すなわち、例えば再生装置は、この光ディスク２１−２が光ディスク２１−１の次の光ディスクであることを判別することができる。
【００９８】
次に３枚目の光ディスク（光ディスクNo.3）２１−３は、記録媒体識別情報「ABGH12009」５１−３を有している。この光ディスク２１−３には、管理情報７１−３が記録される。管理情報７１−３には、光ディスク２１−３の１つ前の光ディスク２１−２の記録媒体識別情報５１−２が記録される。これにより、例えば、再生装置は、この管理情報７１−３に基づいて、この光ディスク２１−３の１つ前の光ディスク（すなわち、この光ディスクに記録されている画像データの１つ前の画像データが記録されている光ディスク）が光ディスク２１−２であることを判別することができる。すなわち、例えば再生装置は、この光ディスク２１−３が光ディスク２１−２の次の光ディスクであることを判別することができる。
【００９９】
以上のように、記録装置１３は、連続する一連のクリップデータ群を複数の記録媒体に分けて記録した場合、各記録媒体に１つ前の記録媒体の識別情報を記録するので、この記録媒体を再生する再生装置は、記録媒体に記録されたデータの管理を容易に行うことができる。すなわち、記録装置１３は、記録媒体に記録されたデータの管理を容易にし、記録媒体の利便性を向上させることができる。
【０１００】
なお、図１０において各光ディスク２１には管理情報７１を記録するように説明したが、これに限らず、例えば、図１１に示されるように、履歴情報１１１を用いるようにしてもよい。この場合、３枚目の光ディスク２１−３に記録される履歴情報１１１−３に示されるように、３枚目の光ディスク２１−３には、１枚目の光ディスクに関する情報と２枚目の光ディスクに関する情報の両方が含まれている。すなわち、この場合、ある光ディスク２１には、そのグループの、その１つ前までの全ての光ディスクに関する情報が含まれている。従って、例えば再生装置は、この光ディスク２１に記録された履歴情報１１１を参照するだけで、同じグループの１つ前までの全ての光ディスクの記録順序を容易に識別することができる。すなわち、記録装置１３は、記録媒体に記録されたデータの管理を容易にし、記録媒体の利便性を向上させることができる。
【０１０１】
ただし、この場合、履歴情報１１１のデータ量は、光ディスクごとに異なる。また、そのデータ量は、図１０のように管理情報７１を記録する場合と比較して大きくなる。特に、３枚目、４枚目と後の光ディスクになればなるほど、その差は大きくなる。
【０１０２】
また、これ以外にも、例えば、図１２に示されるように、記録媒体識別情報の代わりに、その光ディスク２１の順番に関する情報である順序情報１３１を管理情報７１に含め、それを光ディスク２１に記録するようにしてもよい。
【０１０３】
すなわち、この場合、１枚目の光ディスク２１−１には、１番目を示す順序情報１３１−１を含む管理情報７１−１が記録され、この光ディスク２１−１を読み込んだ再生装置は、この光ディスク２１−１がグループ内において１枚目の光ディスク（一連のクリップデータ群の内、最初のクリップデータを含むクリップデータ群が記録された光ディスク）であることを判別することができる。
【０１０４】
同様に、２枚目の光ディスク２１−２には、２番目を示す順序情報１３１−２を含む管理情報７１−２が記録され、この光ディスク２１−２を読み込んだ再生装置は、この光ディスク２１−２がグループ内において２枚目の光ディスク（一連のクリップデータ群の内、２番目のクリップデータ群が記録された光ディスク）であることを判別することができる。
【０１０５】
３枚目の光ディスク２１−３の場合も同様であり、３番目を示す順序情報１３１−３を含む管理情報７１−３が記録され、この光ディスク２１−３を読み込んだ再生装置は、この光ディスク２１−３がグループ内において３枚目の光ディスク（一連のクリップデータ群の内、３番目のクリップデータ群が記録された光ディスク）であることを判別することができる。
【０１０６】
図１３に、この場合の管理情報生成部４４および管理情報保持部４５の構成例を示す。
【０１０７】
図１３において、管理情報生成部４４は、順序情報を管理する順序情報管理部１３２を有する。順序情報管理部１３２は、図示せぬ内部レジスタに順序情報（すなわち、番号情報）を保持しており、管理情報７１を生成する際にその順序情報を提供する。管理情報生成部４４は、制御部４１に制御されて、所定のタイミングで、その他の情報６１および順序情報管理部１３２を用いて管理情報７１を生成する。この順序情報（すなわち番号の値）は、グループが変わる度（初期化処理が行われる度）に「１」に初期化される。また、この値は、管理情報７１が生成される度に、＋１ずつインクリメントされる。
【０１０８】
管理情報生成部４４は、管理情報７１を生成するとそれを管理情報保持部４５に供給し、保持させる。ただし、この場合、管理情報保持部４５は、記憶領域が上述したように分割されておらず、１つの管理情報７１のみを保持するようになされている。この場合、光ディスク２１には、他の光ディスクに関する情報は記録されないので、管理情報保持部４５は、１つの（最新の）管理情報７１を保持するだけでよい。管理情報生成部４４は、制御部４１に制御されて、所定のタイミングで、この管理情報保持部４５に保持されている管理情報７１を読み出し、それを多重化部３４（図２）に供給する。
【０１０９】
この場合の、管理情報準備処理について、図１４のフローチャートを参照して説明する。この管理情報準備処理は、図８のフローチャートを参照して説明した管理情報準備処理に対応する処理であり、基本的に同様の処理が行われる。その部分については説明を省略する。
【０１１０】
すなわち、図１４のステップＳ６１およびステップＳ６２の処理は、それぞれ、図８のステップＳ２１およびステップＳ２２の場合と同様に実行され、図１４のステップＳ６６乃至ステップＳ６８の処理は、それぞれ、図８のステップＳ２７乃至ステップＳ２９の場合と同様に実行される。
【０１１１】
図１４のステップＳ６２において、ドライブに装着された光ディスク２１が新たな光ディスクであると判定した場合、管理情報生成部４４の順序情報管理部１３２は、ステップＳ６３において、保持している順序情報１３１の値に＋１インクリメントし、新たな順序情報１３１を生成する。ステップＳ６４において、管理情報生成部４４は、その順序情報１３１を用いて、管理情報７１を生成し、それを管理情報保持部４５に供給する。管理情報保持部４５は、ステップＳ６５において、その新たに生成された管理情報７１を、保持していた管理情報（古い管理情報）に上書きし、それを保持し、処理をステップＳ６６に進める。
【０１１２】
以上のように、順序情報１３１を用いて管理情報７１を生成する場合、管理情報生成部４４は、記録媒体識別情報５１を取得せずに管理情報７１を生成することができる。また、管理情報保持部４５は、１つの（最新の）管理情報７１を保持するだけでよいので、その構成が単純になる。
【０１１３】
次に、管理情報７１のさらに他の構成例について説明する。記録装置１３は、上述した以外にも、複数グループが存在する場合においても各光ディスク２１間の関係の識別が容易になるように、管理情報７１にクリップデータ群のグループを識別する記録グループ識別情報をさらに含めるようにしてもよい。
【０１１４】
この場合、管理情報生成部４４には、図１５に示されるように、管理情報７１に含める記録グループ識別情報１４１を生成する記録グループ識別情報生成部１４２と、生成された記録グループ識別情報１４１を保持する記録グループ識別情報保持部１４３とを有する。
【０１１５】
管理情報生成部４４の記録グループ識別情報生成部１４２は、初期化処理時に記録グループを識別するための記録グループ識別情報１４１を生成し、それを記録グループ識別情報保持部１４３に供給して保持させる。
【０１１６】
そして、管理情報生成部４４は、制御部４１より供給される記録媒体識別情報５１、その他の情報６１、および記録グループ識別情報保持部１４３に保持されている記録グループ識別情報１４１を用いて、管理情報７１を生成し、管理情報保持部４５に供給して保持させる。この場合、管理情報保持部４５は、図４の場合と同様に、２つの管理情報（管理情報７１Ａ，７１Ｂ）を保持する。
【０１１７】
次に、図１６のフローチャートを参照して、この場合の初期化処理について説明する。この場合の初期化処理も基本的に図７のフローチャートを参照して説明した場合と同様である。
【０１１８】
初期化処理を開始した制御部４１は、最初に、ステップＳ８１において、管理情報保持部４５を初期化し、管理情報保持部４５が保持している全ての管理情報を削除させる。次に、制御部４１は、ステップＳ８２において、管理情報生成部４４を初期化し、保持しているデータを全て削除させる。
【０１１９】
次に、制御部４１は、図７の場合と異なり、ステップＳ８３において、管理情報生成部４４の記録グループ識別情報生成部１４２を制御して記録グループ識別情報１４１を生成させる。記録グループ識別情報生成部１４２は、制御部４１に制御されて、記録グループ識別情報１４１を生成し、それを記録グループ識別情報保持部１４３に供給して保持させる。
【０１２０】
そして、制御部４１は、ステップＳ８４において、履歴情報生成部４３（図２）を初期化し、保持している履歴情報１１１を削除させる。ステップＳ８４の処理を終了した制御部４１は、初期化処理を終了する。
【０１２１】
次に、図１７のフローチャートを参照して、この場合の管理情報準備処理を説明する。
【０１２２】
管理情報準備処理を開始した制御部４１は、最初に、ステップＳ１０１において、ドライブに装着された光ディスク２１を検査する。この処理は、図８のステップＳ２１の場合と同様に実行される。そして、ステップＳ１０２において、制御部４１は、その検査結果に基づいて、装着された光ディスク２１が新たな光ディスクであるか否かを判定する。この処理は、図８のステップＳ２２の場合と同様に実行される。新たな光ディスクであると判定した場合、制御部４１は、処理をステップＳ１０３に進める。
【０１２３】
ステップＳ１０３において、管理情報保持部４５は、第２管理情報７１Ｂで第１管理情報７１Ａを更新（上書き）する。この処理は、図８のステップＳ２３の場合と同様に実行される。制御部４１は、ステップＳ１０４において、情報読み出し部４６とピックアップ部３６を制御して、ドライブに装着されている光ディスク２１の記録媒体識別情報５１を取得し、それを管理情報生成部４４に供給する。この処理は、図８のステップＳ２４の場合と同様に実行される。
【０１２４】
管理情報生成部４４は、ステップＳ１０５において、その記録媒体識別情報５１と、記録グループ識別情報保持部１４３に保持されている記録グループ識別情報１４１に基づいて、管理情報７１を生成し、それを管理情報保持部４５に供給する。
【０１２５】
ステップＳ１０６において、管理情報保持部４５は、管理情報生成部４４が新たに生成した管理情報７１を第２管理情報７１Ｂとして第２管理情報保持領域８２に保持する。この処理は、図８のステップＳ２６の場合と同様に実行される。また、管理情報生成部４４は、生成した管理情報７１を履歴情報生成部４３にも供給する。履歴情報生成部４３は、ステップＳ１０７において、その管理情報を用いて、リストを追加するように履歴情報を生成し、それを履歴情報保持部４２に供給する。この処理は、図８のステップＳ２７の場合と同様に実行される。履歴情報保持部４２は、ステップＳ１０８において、その履歴情報を保持すると、管理情報準備処理を終了する。この処理は、図８のステップＳ２８の場合と同様に実行される。
【０１２６】
また、ステップＳ１０２において、ドライブに装着された光ディスク２１が新たな光ディスクではないと判定した場合、制御部４１は、ステップＳ１０９に処理を進め、エラー処理を行った後、管理情報準備処理を終了する。この処理は、図８のステップＳ２９の場合と同様に実行される。
【０１２７】
このように処理することにより、図１８に示されるように、管理情報７１−１乃至７１−３には、値が「Ａ０１」の記録グループ識別情報１４１が記録媒体識別情報５１（記録媒体識別情報５１−１若しくは５１−２、または、予め定められた初期値１２１）とともに含まれているので、それらがそれぞれ記録される光ディスク２１−１乃至２１−３は、「Ａ０１」で識別される記録グループ１５１に属する光ディスクであることが判別可能となる（光ディスク２１−１乃至２１−３には、記録グループ１５１に属するクリップデータが記録されていることが判別可能となる）。従って、例えば、再生装置は、これらの光ディスク２１−１乃至２１−３は、「Ｂ０２」で識別される記録グループ１５２に属する光ディスク２１−１１乃至２１−１３と異なるグループに属することを容易に判別することができる。
【０１２８】
このように、記録装置１３は、記録媒体識別情報とともに、記録グループ識別情報１４１を管理情報７１に含めることにより、光ディスク２１の属する記録グループと、その記録グループ内部における順序関係を識別可能にさせることができる。
【０１２９】
なお、図１８に示される記録グループ識別情報１４１の値は、あくまでも一例であり、これ以外にも、どのような値をとるようにしてもよい。記録媒体識別情報５１についても同様である。また、このことは他の図においても同様であり、管理情報７１に含まれる識別情報の値はどのような値をとるようにしてもよい。
【０１３０】
以上のように、光ディスク２１が装着された時に、光ディスク２１の次の光ディスクに記録するための管理情報７１を生成し、保持するので、記録装置１３は、１つ前の光ディスクに関する情報を光ディスク２１に記録することができる。これにより、再生装置が光ディスク２１の前後関係を認識することができるので、記録装置１３は、記録媒体に記録されたデータの管理を容易にし、記録媒体の利便性を向上させることができる。このとき、管理情報７１に記録媒体識別情報５１だけでなく記録グループ識別情報１４１も含めるようにしたので、記録装置１３は、記録媒体の前後関係だけでなく、どの記録媒体がどのグループに属するかの識別も容易にすることができ、記録媒体の利便性をさらに向上させることができる。
【０１３１】
管理情報７１の構成例として、上述した以外にも、例えば、現在の記録媒体の次に使用されることが予定されている記録媒体の識別情報を含むようにしてもよい。ただし、この場合、記録に使用する記録媒体の順番が予め決定されており、記録装置１３は、それらの記録媒体の識別情報を予め把握しておく必要がある。
【０１３２】
図１９は、そのような場合の管理情報生成部４４および管理情報保持部４５における管理情報７１の生成の様子の例を説明する図である。
【０１３３】
図１９において、管理情報生成部４４は、予め使用される光ディスク２１の記録媒体識別情報を全て取得し、管理する記録媒体識別情報管理部１６２を有している。使用される光ディスク２１の記録媒体識別情報は、事前に、この記録媒体識別情報管理部１６２に供給される。例えば、ユーザが、記録処理を行う前に、使用される予定の全ての光ディスク２１をドライブに使用予定の順番に装着するようにし、記録装置１３は、それらの光ディスク２１から記録媒体識別情報５１をその順番で取得し、記録媒体識別情報管理部１６２に登録するようにする。記録媒体識別情報管理部１６２は、登録された順番で、各記録媒体識別情報５１を管理し、管理情報７１の生成の際に、次の記録媒体識別情報１６１として提供する。なお、記録媒体識別情報５１の登録方法はこれ以外であってももちろんよい。
【０１３４】
以上のような登録モードが終了し、記録用に光ディスク２１がドライブに装着されると、制御部４１は、各部を制御して、その光ディスク２１より記録媒体識別情報５１を読み出させ、それを管理情報生成部４４の記録媒体識別情報管理部１６２に供給する。記録媒体識別情報管理部１６２は、記録媒体識別情報５１が供給されると、管理している記録媒体識別情報５１を参照し、供給された記録媒体識別情報５１の次に位置する記録媒体識別情報５１を次の記録媒体識別情報１６１として、管理情報生成部４４に供給する。
【０１３５】
管理情報生成部４４は、この次の記録媒体識別情報１６１とその他の情報６１を用いて管理情報７１を生成し、それを管理情報保持部４５に供給して保持させる。そして、所定のタイミングにおいて、その管理情報７１を再度読み出し、多重化部３４に供給する。この場合、管理情報保持部４５は、１つの管理情報７１を保持するだけでよい。
【０１３６】
次に、この場合の具体的な処理について説明する。
【０１３７】
最初に、初期化処理について、図２０のフローチャートを参照して説明する。この場合の初期化処理も基本的に図７のフローチャートを参照して説明した場合と同様である。
【０１３８】
初期化処理を開始した制御部４１は、最初に、ステップＳ１２１において、管理情報保持部４５を初期化し、管理情報保持部４５が保持している全ての管理情報を削除させる。次に、制御部４１は、ステップＳ１２２において、管理情報生成部４４を初期化し、保持しているデータを全て削除させる。そして、制御部４１は、ステップＳ１２３において、履歴情報生成部４３を初期化し、保持している履歴情報１１１を削除させる。
【０１３９】
次に、制御部４１は、図７の場合と異なり、ステップＳ１２４において、記録予定の光ディスク２１の記録媒体識別情報５１を取得し、それを記録媒体識別情報管理部１６２に供給する。記録媒体識別情報管理部１６２は、ステップＳ１２５において、供給された記録予定の光ディスク２１の記録媒体識別情報５１を保持し、初期化処理を終了する。
【０１４０】
次に、図２１のフローチャートを参照して、管理情報準備処理について説明する。
【０１４１】
管理情報準備処理を開始した制御部４１は、最初に、ステップＳ１４１において、ドライブに装着された光ディスク２１を検査する。この処理は、図８のステップＳ２１の場合と同様に実行される。そして、ステップＳ１４２において、制御部４１は、その検査結果に基づいて、装着された光ディスク２１が新たな光ディスクであるか否かを判定する。この処理は、図８のステップＳ２２の場合と同様に実行される。新たな光ディスクであると判定した場合、制御部４１は、処理をステップＳ１４３に進める。
【０１４２】
ステップＳ１４３において、管理情報生成部４４は、記録媒体識別情報管理部１６２が管理する次の記録媒体識別情報１６１を取得し、ステップＳ１４４において、その、次の記録媒体識別情報１６１を用いて管理情報７１を生成し、それを管理情報保持部４５に供給する。ステップＳ１４５において、管理情報保持部４５は、管理情報生成部４４が新たに生成した管理情報７１を保持する。
【０１４３】
また、管理情報生成部４４は、生成した管理情報７１を履歴情報生成部４３にも供給する。履歴情報生成部４３は、ステップＳ１４６において、その管理情報を用いて、リストを追加するように履歴情報１１１を生成し、それを履歴情報保持部４２に供給する。この処理は、図８のステップＳ２７の場合と同様に実行される。履歴情報保持部４２は、ステップＳ１４７において、その履歴情報１１１を保持すると、管理情報準備処理を終了する。この処理は、図８のステップＳ２８の場合と同様に実行される。
【０１４４】
また、ステップＳ１４２において、ドライブに装着された光ディスク２１が新たな光ディスクではないと判定した場合、制御部４１は、ステップＳ１４８に処理を進め、エラー処理を行った後、管理情報準備処理を終了する。この処理は、図８のステップＳ２９の場合と同様に実行される。
【０１４５】
このように処理することにより、図２２に示されるように、管理情報７１−１には、次にクリップデータの記録が予定されている光ディスク２１の記録媒体識別情報である次の記録媒体識別情報１６１−１が含まれ、管理情報７１−２には次の記録媒体識別情報１６１−２が含まれ、管理情報７１−３には次の記録媒体識別情報１６１−３が含まれるようになる。従って、例えば、これらの光ディスク２１より情報を読み出す再生装置は、各光ディスク２１の次の光ディスクを容易に把握（識別）することができる。
【０１４６】
このように、記録装置１３は、次の記録媒体識別情報１６１を管理情報７１に含めることにより、現在の光ディスク２１の、次の光ディスクを識別可能にさせることができる。
【０１４７】
なお、図２１に示される次の記録媒体識別情報１６１（記録媒体識別情報５１）の値は、あくまでも一例であり、これ以外にも、どのような値をとるようにしてもよい。また、このことは他の図においても同様であり、管理情報７１に含まれる識別情報の値はどのような値をとるようにしてもよい。
【０１４８】
なお、以上においては、１つの記録装置１３において全てのクリップデータを光ディスク２１に記録する場合について説明したが、例えば、複数の記録装置を用いて、一連のクリップデータ群を複数の光ディスク２１に記録するようにしてももちろんよい。ただし、その場合、後述するように、各記録装置間において、履歴情報１１１を共有する必要がある。
【０１４９】
図２３は、その場合の、本発明を適用したネットワークシステムの構成例を示す図である。
【０１５０】
図２３において、ネットワークシステム１７０は、撮像装置１１、ネットワーク１２、記録装置１３Ａ（記録装置Ａ）、および記録装置１３Ｂ（記録装置Ｂ）により構成される。
【０１５１】
記録装置１３Ａおよび１３Ｂは、いずれも、図１の記録装置１３と同様の構成であるので、その説明を省略する。ただし、記録装置１３Ａおよび１３Ｂのそれぞれの制御部４１は、通信インタフェース部３２を制御して、履歴情報保持部４２に保持されている履歴情報１１１を、ネットワーク１２を介して互いに送受信することができる（すなわち、履歴情報１１１を共有することができる）。
【０１５２】
例えば、図２３に示されるように、１つのグループのクリップデータ群を６枚の光ディスク２１−１乃至２１−６に記録する場合に、記録装置１３Ａにおいて、１枚目から３枚目の光ディスクとなる光ディスク２１−１乃至２１−３への記録処理を行い、記録装置１３Ｂにおいて、４枚目から６枚目の光ディスクとなる光ディスク２１−４乃至２１−６への記録処理を行うものとする。
【０１５３】
このような場合、撮像装置１１は、最初の３枚の光ディスク２１−１乃至２１−３に記録させるクリップデータ群を、矢印１７１のように、ネットワーク１２を介して記録装置１３Ａに供給する。記録装置１３Ａは、このように供給されるクリップデータ群を光ディスク２１−１乃至２１−３に順番に記録する。そして、３枚の光ディスク２１−１乃至２１−３に対する記録処理が終了すると、記録装置１３Ａは、それまでの管理情報７１の記録に関する履歴情報１１１を、矢印１７２のようにネットワーク１２を介して、記録装置１３Ｂに供給する。撮像装置１１は、次に、４枚目から６枚目となる光ディスク２１−４乃至２１−６に記録させるクリップデータ群を、矢印１７３のように、ネットワーク１２を介して記録装置１３Ｂに供給する。記録装置１３Ｂは、このように供給されるクリップデータ群を光ディスク２１−４乃至２１−６に順番に記録する。
【０１５４】
このとき、記録装置１３Ｂは、記録装置１３Ａより供給された履歴情報１１１を用いて管理情報７１の生成を行う。例えば、記録装置１３Ｂは、履歴情報１１１に含まれる３枚目の光ディスク２１−３の記録媒体識別情報５１を、４枚目の光ディスク２１−４に記録する管理情報７１の生成に用いる。また、例えば、管理情報７１に記録グループ識別情報１４１を含める場合には、記録装置１３Ｂは、履歴情報１１１より、その記録グループ識別情報１４１を取得する。
【０１５５】
次に、この履歴情報１１１の転送処理について、図２４のフローチャートを参照して説明する。
【０１５６】
図２４において、履歴情報１１１を送信する側である記録装置１３Ａ（記録装置Ａ）は、最初に、ステップＳ１６１において、履歴情報１１１の供給先を設定する。すなわち、図２３の場合、記録装置１３Ａは、例えば、記録装置１３Ｂ（記録装置Ｂ）のIPアドレス等を用いて、記録装置１３Ｂを履歴情報１１１の供給先として設定する。
【０１５７】
そして、記録装置１３Ａは、ステップＳ１６２において、設定に基づいて、ネットワーク１２を介して、履歴情報１１１を記録装置１３Ｂに供給する。記録装置１３Ｂは、ステップＳ１７１において、この履歴情報１１１を取得する。記録装置１３Ｂは、取得したこの履歴情報１１１をステップＳ１７２において履歴情報保持部４２等に保持し、ステップＳ１７３において、転送処理が完了したことを記録装置１３Ａに通知する。記録装置１３Ａは、ステップＳ１６３においてこの通知を取得すると、転送処理を終了する。
【０１５８】
以上のように複数の記録装置１３が履歴情報１１１を共有することにより、光ディスク２１にクリップデータを記録する記録装置を途中で変更させることができる。このようにすることにより、例えば、図２３に示されるように、撮像装置１１が撮像して得られたクリップデータを、記録装置１３Ａと記録装置１３Ｂの２つの記録装置１３により光ディスク２１に記録することができるので、記録装置１３Ａにおける光ディスク２１の入れ替えタイミングと、記録装置１３Ｂにおける光ディスク２１の入れ替えタイミングとを互いにずらすことにより、ドライブに装着された光ディスク２１の入れ替え作業等による記録不可能な時間を無くすようにすることができ、撮像装置１１は、連続した撮像を行うことができる。
【０１５９】
なお、履歴情報１１１を共有する記録装置１３の数は、３台以上であってももちろんよい。また、以上に説明したような履歴情報１１１ではなく、管理情報７１を共有するようにしてもよいが、その場合、ドライブに装着された光ディスク２１が新しいディスクであるか否かのチェックのために、履歴情報１１１と同様の情報を別途共有する必要がある。
【０１６０】
次に、以上に説明したようにクリップデータとともに管理情報７１や履歴情報１１１を記録した光ディスク２１の再生について説明する。
【０１６１】
図２５は、本発明を適用した再生装置の構成例を示すブロック図である。
【０１６２】
図２５において、再生装置２０１は、複数のドライブが用意され、同時に複数の光ディスク２１を装着することができるようになされている。また、各ドライブに対してピックアップ部が１つずつ設けられている（ピックアップ部２１２−１、ピックアップ部２１２−２、ピックアップ部２１２−３、・・・）。なお、以下において、各ピックアップ部を分けて説明する必要の無い場合、ピックアップ部２１２と称する。
【０１６３】
再生装置２０１は、装着される光ディスク２１の管理を行う光ディスク管理部２１１、ピックアップ部２１２、読み出し制御部２１３、分離部２１４、信号処理部２１５、および、再生出力部２１６により構成される。
【０１６４】
光ディスク管理部２１１は、制御部２２１、記録媒体識別情報抽出部２２２、連続再生制御部２２３、入力部２２４、および出力部２２５により構成される。
【０１６５】
制御部２２１は、再生装置２０１の各部を制御し、再生装置２０１全体の動作について制御処理を行う。また、制御部２２１は、記録媒体識別情報抽出部２２２において抽出された記録媒体識別情報５１を連続再生部２２３に供給する。なお、図２５においては、このデータの流れを示す矢印（すなわち、記録媒体識別情報抽出部２２２からの矢印と、連続再生制御部２２３への矢印）しか示しておらず、省略されているが、実際には、再生装置２０１の各部を制御可能となるように、制御バスやデータバスを介して各部と接続されており、各部と制御情報やデータのやり取りを行うことができるようになされている。
【０１６６】
記録媒体識別情報抽出部２２２は、後述する分離部２１４において分離された管理情報７１（または履歴情報１１１等）より記録媒体識別情報５１を抽出し、それを制御部２２１に供給する。連続再生制御部２２３は、制御部２２１より供給される記録媒体識別情報５１に基づいて、各ドライブに装着された光ディスク２１の順番（クリップデータが記録された順番）を特定することによって、クリップデータ群の順番（録画された順番）を特定し、その順に全クリップデータを連続再生させるように、再生出力部２１６を制御する。入力部２２４は、例えば各種のボタンやキーボード等よりなり、ユーザからの指示を受け付け、出力部２２５は、例えばLED等の発光部、CRTやLCD等のディスプレイ、または、スピーカ等の音声出力部等を含み、制御部２２１より供給される情報を出力する。
【０１６７】
上述したように、ピックアップ部２１２は、複数のピックアップ部（ピックアップ部２１２−１、ピックアップ部２１２−２、ピックアップ部２１２−３、・・・）により構成され、各ピックアップが互いに異なるドライブに装着された光ディスク２１よりクリップデータ等を読み出すようになされている。例えば、図２５の場合、ピックアップ部２１２−１、ピックアップ部２１２−２、ピックアップ部２１２−３は、それぞれ、順に、光ディスク２１−１、光ディスク２１−２、光ディスク２１−３に記録されているクリップデータ等を読み出す。ピックアップ部２１２は、それぞれ、読み出したクリップデータ等を読み出し制御部２１３に供給する。
【０１６８】
読み出し制御部２１３は、ピックアップ部２１２を制御する等して、光ディスク２１からのクリップデータの読み出しを制御する。そして、読み出し制御部２１３は、読み出し制御の結果、供給されたクリップデータを分離部２１４に供給する。分離部２１４は、供給されたクリップデータに多重化された管理情報７１（または履歴情報１１１）等を抽出し、それを記録媒体識別情報抽出部２２２に供給する。また、分離部２１４は、残りのクリップデータを信号処理部２１５に供給する。
【０１６９】
信号処理部２１５は、供給されたクリップデータに対して、例えば、フォーマット変換等のような、予め定められた所定の処理を行い、その処理結果を再生出力部２１６に供給する。再生出力部２１６は、信号処理部２１５より供給されるクリップデータを再生し、そのクリップデータに対応する画像を図示せぬディスプレイ等に表示させたり、音声をスピーカより出力させたりする。また、再生出力部２１６は、再生出力に関して必要に応じて、制御部２２１に要求を行い、各部を制御してクリップデータの読み出し等の制御を適宜行う。例えば、連続再生制御部２２３に制御されるなどして、制御部２２１に対して、光ディスク２１に記録されているクリップデータを連続再生制御部２２３に指定された順番で読み出すように要求する。
【０１７０】
このような再生装置２０１は、光ディスク２１に記録されているクリップデータの内、ユーザが指定したクリップデータを１つずつ再生する通常の再生を行うことも可能であるが、それ以外にも、上述したように、光ディスク２１に記録されている管理情報７１を利用することにより、光ディスク２１に記録されている全てのクリップデータを、その録画順に再生させる連続再生を行うことができる。
【０１７１】
その連続再生について具体的な処理の例を図２６のフローチャートを参照して説明する。
【０１７２】
例えば、ユーザに指示される等して連続再生処理を開始した制御部２２１は、最初に、ステップＳ１９１において、読み出し制御部２１３や分離部２１４を制御して、各光ディスク２１より管理情報７１を読み出させる。読み出し制御部２１３は、そのような制御部２２１の制御に基づいて、ピックアップ部２１２を制御して各光ディスク２１より管理情報７１が多重化されたクリップデータを読み出し、それを分離部２１４に供給する。分離部２１４は、そのクリップデータより管理情報７１を分離し、その管理情報７１を記録媒体識別情報抽出部２２２に供給する。
【０１７３】
ステップＳ１９２において、制御部２２１は、記録媒体識別情報２２２を制御して、管理情報７１より記録媒体識別情報５１を抽出する。記録媒体識別情報抽出部２２２は、制御部２２１に制御されて、分離部２１４より供給された管理情報７１より記録媒体識別情報５１を抽出し、その記録媒体識別情報５１を制御部２２１に供給する。制御部２２１は、その記録媒体識別情報５１を連続再生制御部２２３に供給する。連続再生制御部２２３は、ステップＳ１９３において、その記録媒体識別情報５１に基づいて再生順を決定し、ステップＳ１９４において、その再生順で再生制御リストを生成する。
【０１７４】
さらに再生制御リストを生成した連続再生制御部２２３は、ステップＳ１９５において、その再生制御リストの順序に従い、再生出力部２１６を制御し、その順序でクリップデータを光ディスク２１より読み出すように制御させ、読み出させたクリップデータを順次再生出力させる。再生出力部２１６は、このように制御されて、光ディスク２１より再生制御リストの順序でクリップデータを読み出すように制御部２２１に要求し、供給されるクリップデータを順次再生し、図示せぬディスプレイ等に表示させる。
【０１７５】
ステップＳ１９５の処理が完了すると、制御部２２１は、連続再生処理を終了する。
【０１７６】
以上のように、再生装置２０１は、各光ディスク２１に記録された管理情報７１に基づいて、各光ディスク２１に記録されているクリップデータの順番（録画順）を容易に特定することができ、例えば、容易にその順番で各クリップデータを連続再生出力することができる。
【０１７７】
なお、以上においては、記録媒体のメディア毎にその記録順を管理する場合について説明した。以下においては、例えば、ファイル単位やクリップ単位等、所定の記録単位で、その記録順を管理する場合について説明する。
【０１７８】
図２７は、本発明を適用した、ネットワークシステムの一実施の形態の構成例を示している。
【０１７９】
図２７において、ネットワークシステム２３１は、撮像装置１１、ネットワーク１２、および、記録装置２４１により構成される。すなわち、ネットワークシステム２３１は、図１のネットワークシステム１の記録装置１３の代わりに記録装置２４１を適用したシステムである。すなわち、撮像装置１１が被写体を撮像することにより得られたクリップデータは、ネットワーク１２を介して記録装置２４１に供給され、記録装置２４１により、複数のファイルとして所定の記録媒体に記録される。
【０１８０】
記録装置２４１は、図１の記録装置１３と同様に、撮像装置１１において撮像されて得られた一連のクリップデータを複数のファイル（例えば、ファイル２５１−１、ファイル２５１−２、ファイル２５１−３、・・・）として所定の記録媒体（例えば、書き込み可能な光ディスク）に記録する。
【０１８１】
なお、ここでいうファイルとは、クリップデータの一部または全部からなるデータをファイル化したものであればどのような単位のデータであってもよく、例えば、クリップデータそのものをファイル化したものであってもよいし、クリップデータをその時系列に沿って複数のデータに分割した内の１つのデータをファイル化したものであってもよいし、クリップデータを構成する複数のデータの内のいくつかをまとめてファイル化したものであってもよいし、複数のファイルを集めてまとめたものであってもよいし、それ以外の単位のデータをファイル化したものであってももちろんよい。以下において、複数のファイルを区別して説明する必要の無い場合、ファイル２５１と称する。
【０１８２】
図２８は、図２７の記録装置２４１の構成例を示すブロック図である。
【０１８３】
図２８に示されるように、記録装置２４１は、データ管理部２６１、通信インタフェース部（通信I/F部）２６２、信号処理部２６３、データ識別情報抽出部２６４、多重化部２６５、記録制御部２６６、およびピックアップ部２６７により構成される。
【０１８４】
データ管理部２６１は、データの管理に関する処理を行う処理部であり、制御部２７１、管理情報生成部２７２、管理情報保持部２７３、履歴情報生成部２７４、履歴情報保持部２７５、入力部２７６、および出力部２７７により構成される。
【０１８５】
制御部２７１は、CPU、ROM、およびRAM等により構成され、記録装置２４１全体の制御に関する処理を行う。なお、図２８においては、主な制御を示す矢印（すなわち、管理情報生成部２７２への矢印）しか示しておらず、それ以外は省略されているが、実際には、記録装置２４１の各部を制御可能となるように、制御バスやデータバスを介して各部と接続されており、各部と制御情報やデータのやり取りを行うことができるようになされている。
【０１８６】
管理情報生成部２７２は、制御部２７１に制御され、光ディスク２６８に記録されるファイル２５１を管理するための管理情報を生成する。詳細については後述する。管理情報保持部２７３は、管理情報生成部２７２において生成された管理情報を保持する。
【０１８７】
履歴情報生成部２７４は、管理情報生成部２７２において生成される管理情報の履歴情報を生成する。履歴情報保持部２７５は、例えば、半導体メモリ等の記憶素子を有しており、履歴情報生成部２７４により生成された履歴情報を保持する。詳細については後述する。
【０１８８】
入力部２７６は、各種のボタン、スイッチ、調節器、キーボード、マウス、タッチパッド、タッチペン、タッチパネル、マイクまたはポインタデバイス等を含み、ユーザからの指示を受け付け、その制御情報を制御部２７１に供給する。出力部２７７は、例えば、スピーカ、CRT（Cathode Ray Tube）やLCD（Liquid Crystal Display）等のディスプレイ、または、LED（Light Emitting Diode）や蛍光灯等の発光部等により構成され、制御部２７１より供給される出力情報を適宜出力する。
【０１８９】
通信インタフェース部２６２は、ネットワーク１２に接続され、撮像装置１１と通信を行い、撮像装置１１より供給されるクリップデータを取得し、それを信号処理部２６３に供給する。信号処理部２６３は、通信インタフェース部２６２より供給されるクリップデータに、例えば、フォーマット変換したり、データの結合や分割を行って所定のデータ単位でファイル化したりする等の所定の信号処理を施し、その処理結果（ファイル２５１）をデータ識別情報抽出部２６４に供給する。データ識別情報抽出部２６４は、信号処理部２６３より供給されるファイル２５１に含まれるデータ識別情報を抽出し、それを管理情報生成部２７２に供給する。また、データ識別情報抽出部２６４は、ファイル２５１を多重化部２６５に供給する。
【０１９０】
多重化部２６５は、データ識別情報抽出部２６４より供給されるファイル２５１、履歴情報生成部２７４より供給される履歴情報、および管理情報生成部２７２より供給される管理情報を、必要に応じて多重化し、その結果を記録制御部２６６に供給する。記録制御部２６６は、ピックアップ部２６７を制御し、多重化部２６５より供給されたファイル２５１を光ディスク２６８に記録させる。
【０１９１】
ピックアップ部２６７は、所定のドライブに装着された光ディスク２６８にレーザ光を照射し、必要に応じてデータを読み出したり、書き込んだりする。
【０１９２】
図２９は、ファイル２５１を識別するためのデータ識別情報の例を説明するための図である。
【０１９３】
データ識別情報２８１としては、少なくとも、ネットワークシステム２３１内において、予め定められた物であれば、どのようなものであってもよいが、例えば、図２９に示されるように、ファイル名（パス名）２８２、名称２８３、UMID(Unique Material Identifier)２８４、IP（Internet Protocol）アドレス（IPv６）情報２８５、クリップID２８６、または、それらを用いたハッシュ値２８７等が考えられる。
【０１９４】
ファイル名（パス名）２８２は、ファイル２５１が、記録媒体（例えば、図２８の光ディスク２６８）に記録されると、所定の論理フォーマット（例えば、UDF等）によって管理されるが、その際、ファイル２５１に付与される名称（ファイル名）、若しくは、その名称とそれより上位のディレクトリ階層名を含むパス名である。このような情報を用いることにより、少なくとも、記録装置２４１は、その記録媒体（光ディスク２６８）内においてファイル２５１を識別することができる。
【０１９５】
名称２８３は、ファイル２５１に対して独自に（ファイルの順番を管理するために専用に）割り当てられた任意の名称である。すなわち、記録装置２４１が他のシステムとは独立して各ファイルに予め割り当てた名称のことである。従って、この名称２８３を用いることにより、少なくとも、記録装置２４１内においては、各ファイルを個体識別することができるようにすることも可能である。
【０１９６】
UMID２８４は、SMPTE（Society of Motion Picture and Television Engineers）による標準規格の識別子であり、AV（Audio Visual）素材等をグローバルユニークに同定するための識別子である。すなわち、UMIDを用いることにより、ファイル２５１を、その管理場所（ディレクトリ）に関わらず識別することができる。従って、記録再生装置２４１は、ファイル２５１が管理されているディレクトリとUMIDとの対応関係を管理するようにすれば、目的のファイル２５１を、そのディレクトリに関わらず指定することができる。
【０１９７】
IPアドレス（IPv６）情報２８５は、IPプロトコルにおいて使用される識別番号であり、IPv６の場合１２８ビットの情報である。このIPアドレス情報２８５をファイル２５１に割り当てることにより、記録装置２４１は、各ファイル単位で識別することが可能になる。
【０１９８】
クリップID２８６は、各クリップデータを識別するための識別情報である。このクリップID２８６は、メタデータとしてクリップデータに含められる。
【０１９９】
ハッシュ値２８７は、ファイル名（パス名）２８２、名称２８３、UMID２８４、IPアドレス（IPv６）情報２８５、およびクリップID２８６の内、少なくとも１つを用いて生成される固定長の擬似乱数である。
【０２００】
図２８のデータ識別情報抽出部２６４は、このような情報により構成されるデータ識別情報２８１をクリップデータより抽出し、それを管理情報生成部２７２に供給する。
【０２０１】
図３０は、その管理情報生成部２７２および管理情報保持部２７３における管理情報について説明する図である。
【０２０２】
図３０において、管理情報生成部２７２は、データ識別情報抽出部２６４より供給されるデータ識別情報２８１を取得すると、その他の情報２９１と合成し、管理情報３０１を生成する。そして、管理情報生成部２７２は、生成した管理情報３０１を管理情報保持部２７３の第２管理情報保持領域３１２に供給して保持させる。管理情報保持部２７３の保持領域は、第１管理情報保持領域３１１と、第２管理情報保持領域３１２の２つに分割され、それぞれ、管理情報３０１Ａと管理情報３０１Ｂが保持される。管理情報３０１Ａは、管理情報３０１Ｂの１つ前に生成された管理情報３０１である。
【０２０３】
管理情報生成部２７２は、第１管理情報保持領域３１１より管理情報３０１Ａを取得し、それを多重化部２６５に供給する。第１管理情報保持領域３１１より管理情報３０１Ａが読み出されると、第１管理情報保持領域３１１の管理情報３０１Ａは消去され、第２管理情報保持領域３１２に保持されている管理情報３０１Ｂが第１管理情報保持領域３１１に移動され、格納される。そして、第２管理情報保持領域３１２が空き領域となり、次の管理情報を格納することができるようになる。
【０２０４】
このように生成された管理情報３０１は、少なくとも、各ファイルに１つずつ記録される。次に、その管理情報３０１を記録する処理を説明するために、図２８の記録装置２４１によるデータ（ファイル２５１）の記録処理について説明する。記録装置２４１の制御部２７１は、通信インタフェース部２６２を介して供給されるクリップデータを記録させるために、データ記録処理を実行する。データ記録処理について、図３１のフローチャートを参照して説明する。
【０２０５】
データ記録処理を開始した制御部２７１は、最初に、ステップＳ２１１において、信号処理部２６３を制御し、通信インタフェース部２６２を介して供給されるクリップデータに対する信号処理を実行させる。信号処理部２６３は、通信インタフェース部２６２より供給されるクリップデータに対して、制御部２７１からの制御に基づいて、所定の信号処理を行い、処理結果をファイル２５１としてデータ識別情報抽出部２６４に供給し、処理をステップＳ２１２に進める。
【０２０６】
ステップＳ２１２において、制御部２７１は、データ識別情報抽出部２６４を制御し、ファイル２５１よりデータ識別情報２８１を抽出させる。データ識別情報抽出部２６４は、制御部２７１に制御され、信号処理部２６３より供給されたファイル２５１よりデータ識別情報２８１を抽出し、そのデータ識別情報２８１を管理情報生成部２７２に供給する。また、データ識別情報抽出部２６４は、ファイル２５１を多重化部２６５に供給する。
【０２０７】
ステップＳ２１３において、制御部２７１は、管理情報生成部２７２を制御し、管理情報３０１を生成させる。管理情報生成部２７２は、制御部２７１に制御され、データ識別情報抽出部２６４より供給されるデータ識別情報２８１を用いて、データ識別情報２８１を含む管理情報３０１を生成する。
【０２０８】
制御部２７１は、ステップＳ２１４において、管理情報生成部２７２を制御し、管理情報保持部２７３に保持されている第１管理情報３０１Ａを読み出させる。管理情報生成部２７２は、制御部２７１に制御され、管理情報保持部２７３の第１管理情報保持領域３１１の第１管理情報３０１Ａを読み出して取得する。そして、管理情報生成部２７２は、制御部２７１に制御され、その取得した第１管理情報３０１Ａを多重化部２６５に供給する。
【０２０９】
次に、制御部２７１は、ステップＳ２１５において、多重化部２６５を制御し、ファイル２５１と第１管理情報３０１Ａを多重化させる。多重化部２６５は、制御部２７１に制御され、データ識別情報抽出部２６４より供給されたファイル２５１と、管理情報生成部２７２より供給される第１管理情報３０１Ａを、上述した管理情報７１の場合と同様に、メタデータとして多重化し、それを記録制御部２６６に供給する。
【０２１０】
ステップＳ２１６において、制御部２７１は、記録制御部２６６を制御し、多重化部２６５において第１管理情報３０１Ａを多重化させたファイル２５１を光ディスク２６８に記録させる。記録制御部２６６は、制御部２７１に制御され、多重化部２６５より供給された、ファイル２５１（第１管理情報３０１Ａが多重化されたファイル２５１）を、ピックアップ部２６７を介して光ディスク２６８に供給し、それを記録させる。
【０２１１】
そして、ステップＳ２１７において、制御部２７１は、管理情報保持部２７３を制御し、第２管理情報３０１Ｂで第１管理情報３０１Ａを更新する。管理情報保持部２７３は、制御部２７１に制御され、第２管理情報保持領域３１２に保持されている第２管理情報３０１Ｂを第１管理情報保持領域３１１に移動させ、第１管理情報３０１Ａを消去し、第２管理情報３０１Ｂを第１管理情報３０１Ａとして保存する。
【０２１２】
制御部２７１は、ステップＳ２１８において、管理情報生成部２７２を制御し、生成した新たな管理情報３０１を管理情報保持部２７３に供給させ、保持させる。管理情報生成部２７２は、制御部２７１に制御され、ステップＳ２１３において生成した新たな管理情報３０１を、管理情報保持部２７３の第２管理情報保持領域３１２に供給する。管理情報保持部２７３は、供給された管理情報３０１を、第２管理情報３０１Ｂとして、第２管理情報保持領域３１２に保持させる。
【０２１３】
そして制御部２７１は、履歴情報生成部２７４を制御し、管理情報生成部２７２において生成された新たな管理情報３０１に対応する履歴情報を生成させる。履歴情報生成部２７４は、ステップＳ２１９において、制御部２７１に制御され、管理情報生成部２７２において生成された新たな管理情報３０１を取得し、その管理情報３０１を用いて履歴情報を生成する。そして履歴情報生成部２７４は、その生成した履歴情報を履歴情報保持部２７５に供給する。
【０２１４】
履歴情報保持部２７５は、制御部２７１に制御されて、供給された履歴情報を保持し、データ記録処理を終了する。
【０２１５】
以上のように、ファイル２５１に管理情報３０１を多重化するので、制御部２７１は、容易に、１つ前のファイル２５１の情報を、現在のファイル２５１に記録することができる。従って、記録装置２４１は、記録媒体に記録されたデータの管理を容易にし、記録媒体の利便性を向上させることができる。
【０２１６】
なお、この場合の初期化処理は、図７のフローチャートを参照して説明した場合と基本的に同様に実行されるので、その説明を省略する。なお、この場合は、記録処理と管理情報準備処理とがデータ記録処理として実行される。
【０２１７】
以上のように管理情報３０１を生成し、それをファイル２５１と多重化して記録するので、例えば、図３２に示されるように、初期化処理直後のファイル２５１−１、すなわちグループの最初のファイル２５１−１（データＮｏ．１）には、所定の初期値３２１を含む管理情報３０１−１が多重化される。これにより、例えば、再生装置は、この管理情報３０１−１に基づいて、このファイル２５１−１が１番目のファイル（すなわち、最初のクリップデータが含まれるファイル）であることを判別することができる。
【０２１８】
次に２つ目のファイル（データNo.2）２５１−２には、１つ目のファイル２５１−１に対応する「UMIDAAA」という値のUMIDで構成されるデータ識別情報２８１−１を含む管理情報３０１−２が多重化される。これにより、例えば、再生装置は、この管理情報３０１−２に基づいて、このファイル２５１−２の１つ前のファイル（すなわち、このファイル２５１−２に含まれるクリップデータの１つ前のクリップデータが含まれるファイル）がファイル２５１−１であることを判別することができる。すなわち、例えば再生装置は、このファイル２５１−２がファイル２５１−１の次のファイルであることを判別することができる。
【０２１９】
次に３つ目のファイル（データNo.3）２５１−３には、２つ目のファイル２５１−２に対応する「UMIDBBB」という値のUMIDで構成されるデータ識別情報２８１−２を含む管理情報３０１−３が多重化される。これにより、例えば、再生装置は、この管理情報３０１−３に基づいて、このファイル２５１−３の１つ前のファイル（すなわち、このファイル２５１−３に含まれるクリップデータの１つ前のクリップデータが含まれるファイル）がファイル２５１−２であることを判別することができる。すなわち、例えば再生装置は、このファイル２５１−３がファイル２５１−２の次のファイルであることを判別することができる。
【０２２０】
以上のように、記録装置２４１は、連続する一連のクリップデータ群を複数のファイルに分けて記録した場合、各ファイルに１つ前のファイルの識別情報を記録するので、このファイルを再生する再生装置は、ファイルに記録されたデータの管理を容易に行うことができる。すなわち、記録装置２４１は、ファイルに記録されたデータの管理を容易にし、記録媒体の利便性を向上させることができる。
【０２２１】
なお、図３２においては各ファイルに管理情報３０１を記録するように説明したが、これに限らず、例えば、図１１を参照して説明した記録媒体識別情報の場合と同様にして、図３３に示されるように、履歴情報３３１を用いるようにしてもよい。この場合、３つ目のファイル２５１−３に記録される履歴情報３３１−３に示されるように、３つ目のファイル２５１−３には、１つ目のファイルに関する情報と２つ目のファイルに関する情報の両方が含まれている。すなわち、この場合、あるファイル２５１には、そのグループの、その１つ前までの全てのファイルに関する情報が含まれている。従って、例えば再生装置は、このファイル２５１に記録された履歴情報３３１を参照するだけで、同じグループの１つ前までの全てのファイルの記録順序を容易に識別することができる。すなわち、記録装置２４１は、記録媒体に記録されたデータの管理を容易にし、記録媒体の利便性を向上させることができる。
【０２２２】
ただし、この場合、履歴情報３３１のデータ量は、ファイル２５１ごとに異なる。また、そのデータ量は、図３２のように管理情報３０１を記録する場合と比較して大きくなる。特に、３つ目、４つ目と後のファイルになればなるほど、その差は大きくなる。
【０２２３】
また、これ以外にも、例えば、図１２乃至図１４を参照して説明した記録媒体識別情報の場合と同様にして、図３４に示されるように、記録媒体識別情報の代わりに、そのファイル２５１の順番に関する情報である順序情報３４１を管理情報３０１に含め、それをファイル２５１に記録するようにしてもよい。
【０２２４】
すなわち、この場合、１つ目のファイル２５１−１には、１つ目を示す順序情報３４１−１を含む管理情報３０１−１が多重化され、このファイル２５１−１を読み込んだ再生装置は、このファイル２５１−１がグループ内において１つ目のファイル（一連のクリップデータ群の内、最初のクリップデータを含むファイル）であることを判別することができる。
【０２２５】
同様に、２つ目のファイル２５１−２には、２つ目を示す順序情報３４１−２を含む管理情報３０１−２が多重化され、このファイル２５１−２を読み込んだ再生装置は、このファイル２５１−２がグループ内において２つ目の（一連のクリップデータ群の内、２番目のクリップデータ群を含むファイル）であることを判別することができる。
【０２２６】
３つ目のファイル２５１−３の場合も同様であり、３つ目を示す順序情報３４１−３を含む管理情報３０１−３が多重化され、このファイル２５１−３を読み込んだ再生装置は、このファイル２５１−３がグループ内において３つ目の光ディスク（一連のクリップデータ群の内、３番目のクリップデータ群を含むファイル）であることを判別することができる。
【０２２７】
この場合、管理情報生成部２７２の構成は、図１３に示される管理情報生成部４４と同様に、順序情報管理部１３２を有するようにし、管理情報保持部２７３の構成が、図１３に示される管理情報生成部４５と同様に、１つの管理情報３０１を保持するようにすればよい。そして、管理情報生成部２７２が、図３１のステップＳ２１２およびステップＳ２１３の処理の代わりに、図１４のフローチャートに示される管理情報準備処理の場合と同様に、順序情報を生成し（ステップＳ６３）、その順序情報を用いて管理情報を生成する（ステップＳ６４）ようにすればよい。ただしこの場合、管理情報保持部２７３が保持する管理情報３０１は１つであり、第１管理情報３０１Ａと第２管理情報３０２Ｂに分かれていないので、ステップＳ２１７の処理は省略される。
【０２２８】
また、図１５乃至図１８を参照して説明したように、管理情報３０１に記録グループ識別情報を含むようにしてももちろんよい。その場合、管理情報生成部２７２に、図１５を参照して説明したような、記録グループ識別情報生成部１４２と記録グループ識別情報保持部１４３を設け、図１６のフローチャートを参照して説明したように初期化処理において記録グループ識別情報を生成するようにし、図１７のフローチャートを参照して説明した管理情報準備処理の場合と同様に、データ記録処理のステップＳ２１３において、データ識別情報と記録グループ識別情報を用いて管理情報を生成するようにすればいよい。
【０２２９】
このようにすると、例えば、図３５に示されるように、管理情報３０１−１乃至３０１−３には、値が「Ａ０１」の記録グループ識別情報３５１がデータ識別情報２８１（データ識別情報２８１−１若しくは２８１−２、または、予め定められた初期値３２１）とともに含まれているので、それらがそれぞれ多重化されるファイル２５１−１乃至２５１−３は、「Ａ０１」で識別される記録グループ３６１に属するファイルであることが判別可能となる（ファイル２５１−１乃至２５１−３には、記録グループ３６１に属するクリップデータが含まれていることが判別可能となる）。従って、例えば、再生装置は、これらのファイル２５１−１乃至２５１−３は、「Ｂ０２」で識別される記録グループ３６２に属するファイル２５１−１１乃至２５１−１３と異なるグループに属することを容易に判別することができる。
【０２３０】
このように、記録装置２４１は、データ識別情報２８１とともに、記録グループ識別情報３５１を管理情報７１に含めることにより、ファイル２５１の属する記録グループと、その記録グループ内部におけるファイルの順序関係を識別可能にさせることができる。
【０２３１】
なお、図３５に示される記録グループ識別情報３５１の値は、あくまでも一例であり、これ以外にも、どのような値をとるようにしてもよい。データ識別情報３２１についても同様である。また、このことは他の図においても同様であり、管理情報３０１に含まれる識別情報の値はどのような値をとるようにしてもよい。
【０２３２】
図３５においては、UMIDがデータ識別情報２８１として各ファイル対して割り当てられるように説明した。すなわち、この場合、ファイル２５１−１乃至２５１−３は、互いに異なる値のUMIDに対応する。
【０２３３】
UMIDは、ファイル以外にも割り当てることが可能であるので、例えば、図３６に示されるように、記録グループに対してUMIDを割り当てるようにしてもよい。すなわち、この場合、UMIDは、記録グループ識別情報として使用される。
【０２３４】
図３６の例の場合、各ファイル２５１に多重化される管理情報３０１において、記録グループ識別情報３５１として、記録グループに割り当てられたUMIDが用いられ、データ識別情報２８１として、各ファイルに割り当てられたファイル名が用いられている。例えば、ファイル２５１−２に多重化される管理情報３０１−２において、データ識別情報２８１−１は、ファイル２５１−１のファイル名「C0001」となる。同様に、例えば、ファイル２５１−３に多重化される管理情報３０１−３において、データ識別情報２８１−２は、ファイル２５１−２のファイル名「C0002」となる。
【０２３５】
なお、上述した記録媒体識別情報の場合と同様に、図１９乃至図２２を参照して説明したように、次のデータ識別情報を管理情報に割り当てるようにしても勿論よい。ただし、その場合も同様に、生成されるファイルの識別情報が予め決定されており、記録装置２４１は、それらのファイルの識別情報を予め把握しておく必要がある。例えば、生成されるファイルに割り当てられるUMIDが予め決定されており、記録装置２４１がそのUMIDを全て事前に把握することができれば、例えば、図３７に示されるように、次のデータ識別情報を管理情報３０１に含めるようにすることができ、各ファイルを読み込んだ再生装置は、その読み込んだファイルの次のファイルのUMIDを特定することができる（すなわち、次のファイルを特定することができる）。
【０２３６】
なお、図３７に示される次の記録媒体識別情報２８１−２乃至２８１−４の値は、あくまでも一例であり、これ以外にも、どのような値をとるようにしてもよい。また、このことは他の図においても同様であり、管理情報３０１に含まれる識別情報の値はどのような値をとるようにしてもよい。
【０２３７】
以上のように記録装置２４１は、生成順序が連続する複数のデータの管理を容易にし、それらのデータの利便性を向上させることができる。
【０２３８】
なお、例えばクリップデータなどから、上述したように生成される複数のファイルは、１つの記録媒体に記録されるようにしてもよいし、複数の記録媒体に分けて記録されるようにしてもよい。また、例えば、複数の記録媒体に分けてファイルを記録する場合、上述したデータ識別情報とともに、上述した記録媒体識別情報を併用するようにしてももちろんよい。
【０２３９】
以上のように生成されるデータ識別情報を利用する具体的なシステムの例について説明する。
【０２４０】
図３８は、本発明を適用したネットワークシステムの構成例を示す図である。
【０２４１】
図３８において、ネットワークシステム４０１は、撮像装置１１、データベース４１１、配信サーバ４１２、ネットワーク１２、および編集装置４１３により構成される。
【０２４２】
ネットワークシステム４０１は、撮像装置１１の撮像により得られたクリップデータがデータベース４１１に蓄積され、その蓄積されたクリップデータ群が配信サーバ４１２によって、ネットワーク１２を介して編集装置４１３に供給されるシステムである。
【０２４３】
このようなシステムにおいて、ネットワーク１２は、例えば、インターネット等に代表される一般的なネットワークであり、図示は省略するが様々な装置が接続され、様々な通信が行われる。従って、ネットワーク１２は、共有部分であるので、あまりデータ量の大きなデータを転送させると、ネットワーク１２の帯域に対する負荷が大きくなり、ネットワーク障害を発生させる恐れもある。そこで、配信サーバ４１２は、例えば、１つの大きなデータをそのまま転送するのではなく、それが分割された複数のファイルを、それぞれ別個に編集装置４１３に転送させる。このようにすることにより、配信サーバ４１２は、ネットワーク１２の負荷を軽減させた状態で編集装置４１３へのデータ転送を行うことができる。
【０２４４】
すなわち、撮像装置１１において得られたクリップデータ４２１は、データベース４１１に供給され登録される。このときデータベース４１１は、供給されたクリップデータ４２１を３つのファイル４２２−１乃至４２２−３に分割し、それらの３つのファイルを１つのグループとして蓄積する。
【０２４５】
配信サーバ４１２は、例えば編集装置４１３からの要求に基づいて、データベース４１１より1つのグループ４２２として３つのファイル４２２−１乃至４２２−３を読み出す。そして、その３つのファイル４２２−１乃至４２２−３を、要求に基づいて、ネットワーク１２を介して編集装置４１３に供給する。編集装置４１３は、それらのファイルを取得すると、その３つのファイルを１つのクリップデータ（すなわち、クリップデータ４２１）として処理し、ユーザからの編集指示を受け付け、その編集指示に基づいて編集を行い、編集結果であるクリップデータ４２３を外部に出力する。
【０２４６】
このようなネットワークシステム４０１の編集装置４１３の構成例を図３９に示す。
【０２４７】
図３９において、編集装置４１３は、データ管理部４３１、通信部４３２、書き込み制御部４３３、ピックアップ部４３４、光ディスク４３５、読み出し制御部４３６、分離部４３７、信号処理部４３８、データ保持部４３９、編集部４４１、再生出力部４４２により構成される。
【０２４８】
データ管理部４３１は、データ（ファイル）の順序等を管理する処理部である。データ管理部４３１は、制御部４５１、データ識別情報抽出部４５２、入力部４５３、および出力部４５４により構成される。
【０２４９】
制御部４５１は、CPU、ROM、およびRAM等により構成され、図示せぬバスを介して、編集装置４１３の各部を制御する。また、データ識別情報抽出部４５２が、分離部４３７より供給された管理情報よりデータ識別情報を抽出すると、制御部４５１は、その抽出されたデータ識別情報に基づいて、ファイルの順番（生成順）を特定し、それらのファイルを一本化し、１つのクリップデータとして処理することができるようにするための情報である一本化情報を生成し、その一本化情報を編集部４４１に供給する。さらに、制御部４５１は、入力部４５３を介してユーザからの指示を受け付け、出力部４５４を介してユーザに提示する情報を出力させる。
【０２５０】
通信部４３２は、ネットワーク１２に接続され、ネットワーク１２を介して配信サーバ４１２と通信を行い、配信サーバ４１２より供給されるファイル４２２−１乃至４２２−３を取得し、それを書き込み制御部４３３に供給する。
【０２５１】
書き込み制御部４３３は、通信部４３２より供給されたファイル４２２−１乃至４２２−３を、ピックアップ部４３４を介して光ディスク４３５に書き込ませる。読み出し制御部４３６は、光ディスク４３５に書き込まれた（記録されている）ファイル４２２−１乃至４２２−３を、ピックアップ部４３４を介して読み出し、それを分離部４３７に供給する。
【０２５２】
分離部４３７は、読み出し制御部４３６より供給されたファイル４２２−１乃至４２２−３に多重化された管理情報を分離し、分離した管理情報をデータ識別情報抽出部４５２に供給する。また、分離部４３７は、ファイル４２２−１乃至４２２−３を信号処理部４３８に供給する。信号処理部４３８は、供給されたファイル４２２−１乃至４２２−３に対して所定の信号処理を施し、その信号処理結果をデータ保持部４３９に保持させる。データ保持部４３９は、供給されたファイル４２２−１乃至４２２−３を保持し、編集部４４１や再生出力部４４２からの要求に基づいて、それらを提供する。
【０２５３】
編集部４４１は、制御部４５１より供給された一本化情報に基づいて、データ保持部４３９に保持されているファイル４２２−１乃至４２２−３を１つのクリップデータ４２２（すなわち、クリップデータ４２１）として編集処理を行い、編集結果であるクリップデータ４２３をデータ保持部４３９に得る。そして、編集部４４１は、その編集結果であるクリップデータ４２３をデータ保持部４３９より取得し、それを書き込み制御部４３３に供給し、光ディスク４３５に記録させる。これにより、光ディスク４３５には、噴出しに示されるように、ファイル４２２−１乃至４２２−３を編集した編集結果であるクリップデータ４２３が記録されることになる。
【０２５４】
再生出力部４４２は、例えば、データ保持部４３９を介して編集部４４１より一本化情報を取得すると、その一本化情報を再生することにより、ファイル４２２−１乃至４２２−３を１つのクリップデータ４２２として連続再生出力したり、編集結果であるクリップデータ４２３を再生出力したりする。
【０２５５】
次に、編集装置４１３による編集処理について図４０のフローチャートを参照して説明する。
【０２５６】
最初にステップＳ２４１において、読み出し制御部４３６は、ピックアップ部４３４を介して光ディスク４３５よりデータ（ファイル４２２−１乃至４２２−３）を読み出し、分離部４３７に供給する。ステップＳ２４２において、分離部４３７は、供給されたデータ（ファイル４２２−１乃至４２２−３）より管理情報を分離し、分離した管理情報をデータ識別情報抽出部４５２に供給する。また、分離部４５２は、データ（ファイル４２２−１乃至４２２−３）を信号処理部４３８に供給する。
【０２５７】
ステップＳ２４３において、データ識別情報抽出部４５２は、供給された管理情報よりデータ識別情報を抽出し、そのデータ識別情報を制御部４５１に供給する。制御部４５１は、ステップＳ２４４において、供給されたデータ識別情報に基づいて、読み出したデータを確認する。そして、ステップＳ２４５において、制御部４５１は、グループ内の全てのデータを読み出したか否かを判定し、全て読み出したと判定するまで、処理をステップＳ２４１に戻し、それ以降の処理を繰り返す。すなわち、制御部４５１は、ステップＳ２４１乃至ステップＳ２４５の処理を繰り返し、ステップＳ２４５においてグループ内の全てのデータを読み出したと判定した場合、処理をステップＳ２４６に進める。
【０２５８】
ステップＳ２４６において、制御部４５１は、データ識別情報抽出部４５２より供給されたデータ識別情報に基づいてデータの一本化情報を生成し、それを編集部４４１に供給する。ステップＳ２４７において、編集部４４１は、制御部４５１を介して、入力部４５３において受け付けられたユーザ入力を取得し、そのユーザ入力に基づいて、一本化情報によって一本化されたデータを編集し（データ保持部４３９に保持されているファイル４２２−１乃至４２２−３を一本化情報に基づいて一本化して編集処理し）、編集結果である編集情報（例えば、エディットリスト）を生成する。そして、ステップＳ２４８において編集部２４８は、ユーザ入力が終了し、編集作業が終了すると、編集結果である編集情報を書き込み制御部４３３に供給し、光ディスク４３５に保存させ編集処理を終了する。
【０２５９】
このように、ファイル４２２−１乃至４２２−３にデータ識別情報が多重化されているため、制御部４５１はそのデータ識別情報に基づいて、ファイル４２２−１乃至４２２−３を一本化する一本化情報を生成することができる。これにより、編集部４４１や再生出力部４４２は、ファイル４２２−１乃至４２２−３を１つのクリップデータとして処理することができる。
【０２６０】
このように図３８のデータベース４１１は、クリップデータ４２１をファイル４２２−１乃至４２２−３に変換することにより、ネットワーク１２の帯域に対する負荷を軽減させた状態で配信することができるとともに、配信先の編集装置４１３において、データの利便性を損なわないようにすることができる。
【０２６１】
以上のように、記録媒体に記録媒体識別情報等を利用した管理情報をデータと共に記録させることにより、記録媒体に記録されたデータの管理を容易にし、記録媒体の利便性を向上させることができるようにデータを記録媒体に記録することができる。
【０２６２】
また、例えばクリップデータを分割する等して生成されるような、生成順序が連続する複数のデータを生成する際に、生成された各データを識別するデータ識別情報を用いて、各データに、その生成順序を示す情報を多重化することにより、生成順序が連続する複数のデータの管理を容易にし、それらのデータの利便性を向上させることができる。
【０２６３】
なお、以上において説明した記録媒体識別情報を用いる場合とデータ識別情報用いる場合の実施例は適宜組み合わせることができる。また、特に、限定する必要が無い限り、基本的に各実施例の装置や方法の説明の内、一方を他方に適用することができる。例えば、図１３、図１５、および図１９の構成例は、図２８の記録装置２４１にも適用することができる。また、それとともに、これらに対応するフローチャートも適用することができる。ただし、その場合、記録媒体識別情報５１は、適宜、データ識別情報２８１に置き換えられる必要がある。
【０２６４】
また、上述した、データやファイルの分割数や生成する数等は、いくつであってももちろんよい。また、上述したシステムにおいて、システムを構成する装置、処理部、または記録媒体等の数は、特に限定する必要があることを示す記述が無い限り限定されない。
【０２６５】
また、以上において、光ディスク等により説明した記録媒体の種類は、どのようなものであってもよく、特に限定する必要があることを示す記述が無い限り限定されない。
【０２６６】
上述した一連の処理は、ハードウェアにより実行させることもできるし、ソフトウエアにより実行させることもできる。この場合、例えば、図１の記録装置１３や図２７の記録装置２４１は、図４１に示されるようなパーソナルコンピュータとして構成されるようにしてもよい。
【０２６７】
図４１において、パーソナルコンピュータ５００のCPU５０１は、ROM５０２に記憶されているプログラム、または記憶部５１３からRAM５０３にロードされたプログラムに従って各種の処理を実行する。RAM５０３にはまた、CPU５０１が各種の処理を実行する上において必要なデータなども適宜記憶される。
【０２６８】
CPU５０１、ROM５０２、およびRAM５０３は、バス５０４を介して相互に接続されている。このバス５０４にはまた、入出力インタフェース５１０も接続されている。
【０２６９】
入出力インタフェース５１０には、キーボード、マウスなどよりなる入力部５１１、CRT、LCDなどよりなるディスプレイ、並びにスピーカなどよりなる出力部５１２、ハードディスクなどより構成される記憶部５１３、モデムなどより構成される通信部５１４が接続されている。通信部５１４は、インターネットを含むネットワークを介しての通信処理を行う。
【０２７０】
入出力インタフェース５１０にはまた、必要に応じてドライブ５１５が接続され、磁気ディスク、光ディスク、光磁気ディスク、或いは半導体メモリなどのリムーバブルメディア５２１が適宜装着され、それらから読み出されたコンピュータプログラムが、必要に応じて記憶部５１３にインストールされる。
【０２７１】
上述した一連の処理をソフトウエアにより実行させる場合には、そのソフトウエアを構成するプログラムが、ネットワークや記録媒体からインストールされる。
【０２７２】
この記録媒体は、例えば、図４１に示されるように、装置本体とは別に、ユーザにプログラムを配信するために配布される、プログラムが記録されている磁気ディスク（フレキシブルディスクを含む）、光ディスク（CD-ROM(Compact Disk-Read Only Memory),DVD(Digital Versatile Disk)を含む）、光磁気ディスク（ＭＤ（Mini-Disk）（登録商標）を含む）、もしくは半導体メモリなどよりなるリムーバブルメディア５２１により構成されるだけでなく、装置本体に予め組み込まれた状態でユーザに配信される、プログラムが記録されているROM５０２や、記憶部５１３に含まれるハードディスクなどで構成される。
【０２７３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【図面の簡単な説明】
【０２７４】
【図１】本発明を適用したネットワークシステムの構成例を示すブロック図である。
【図２】図１の記録装置の構成例を示すブロック図である。
【図３】記録媒体識別情報の構成例を示す図である。
【図４】管理情報を生成する様子の例を説明する図である。
【図５】クリップデータの構成例を示す図である。
【図６】履歴情報を生成する様子の例を説明する図である。
【図７】初期化処理の例を説明するフローチャートである。
【図８】管理情報準備処理の例を説明するフローチャートである。
【図９】記録処理の例を説明するフローチャートである。
【図１０】管理情報の例を説明する図である。
【図１１】履歴情報の例を説明する図である。
【図１２】管理情報の他の例を説明する図である。
【図１３】管理情報を生成する様子の他の例を説明する図である。
【図１４】管理情報準備処理の、他の例を説明するフローチャートである。
【図１５】管理情報を生成する様子の、さらに他の例を説明する図である。
【図１６】初期化処理の他の例を説明するフローチャートである。
【図１７】管理情報準備処理の、さらに他の例を説明するフローチャートである。
【図１８】管理情報の、さらに他の例を説明する図である。
【図１９】管理情報を生成する様子の、さらに他の例を説明する図である。
【図２０】初期化処理の、さらに他の例を説明するフローチャートである。
【図２１】管理情報準備処理の、さらに他の例を説明するフローチャートである。
【図２２】管理情報の、さらに他の例を説明する図である。
【図２３】本発明を適用したネットワークシステムの、他の構成例を示すブロック図である。
【図２４】履歴情報転送処理の例を説明するフローチャートである。
【図２５】再生装置の構成例を示すブロック図である。
【図２６】連続再生処理の例を説明するフローチャートである。
【図２７】本発明を適用したネットワークシステムの、さらに他の構成例を示すブロック図である。
【図２８】図２７の記録装置の構成例を示すブロック図である。
【図２９】データ識別情報の構成例を示す図である。
【図３０】管理情報を生成する様子の、さらに他の例を説明する図である。
【図３１】データ記録処理の例を説明するフローチャートである。
【図３２】管理情報の、さらに他の例を説明する図である。
【図３３】履歴情報の、さらに他の例を説明する図である。
【図３４】管理情報の、さらに他の例を説明する図である。
【図３５】管理情報の、さらに他の例を説明する図である。
【図３６】管理情報の、さらに他の例を説明する図である。
【図３７】管理情報の、さらに他の例を説明する図である。
【図３８】本発明を適用したネットワークシステムの、さらに他の構成例を示すブロック図である。
【図３９】図３８の編集装置４１３の構成例を示すブロック図である。
【図４０】編集処理を説明するフローチャートである。
【図４１】本発明を適用したパーソナルコンピュータの構成例を説明するブロック図である。
【符号の説明】
【０２７５】
１  ネットワークシステム，  １１  撮像装置，  １２  ネットワーク，  １３  記録装置，  ２１  光ディスク，  ３１  光ディスク管理部，  ３４  多重化部，  ４１  制御部，  ４２  履歴情報保持部，  ４３  履歴情報生成部，  ４４  管理情報生成部，  ４５  管理情報保持部，  ４６  情報読み出し部，  ５１  記録媒体識別情報，  ７１  管理情報，  ８１  第１管理情報保持領域，  ８２  第２管理情報保持領域，  １１１  履歴情報，  １３１  順序情報，  １３２  順序情報管理部，  １４１  記録グループ識別情報，  １４２  記録グループ識別情報生成部，  １４３  記録グループ識別情報保持部，  １６１  次の記録媒体識別情報，  １６２  記録媒体識別情報管理部，  ２０１  再生装置，  ２３１  ネットワークシステム，  ２４１  記録装置，  ２５１  ファイル，  ２７１  制御部，  ２７２  管理情報生成部，  ２７３  管理情報保持部，  ２７４  履歴情報生成部，  ２７５  履歴情報保持部，  ２８１  データ識別情報，  ３０１  管理情報，  ３３１  履歴情報，  ３４１  順序情報，  ３５１  記録グループ識別情報，  ４０１  ネットワークシステム，  ４１３  編集装置，  ４５１  制御部
【図１】
2005309503.tif 000003
【図２】
2005309503.tif 000004
【図３】
2005309503.tif 000005
【図４】
2005309503.tif 000006
【図５】
2005309503.tif 000007
【図６】
2005309503.tif 000008
【図７】
2005309503.tif 000009
【図８】
2005309503.tif 000010
【図９】
2005309503.tif 000011
【図１０】
2005309503.tif 000012
【図１１】
2005309503.tif 000013
【図１２】
2005309503.tif 000014
【図１３】
2005309503.tif 000015
【図１４】
2005309503.tif 000016
【図１５】
2005309503.tif 000017
【図１６】
2005309503.tif 000018
【図１７】
2005309503.tif 000019
【図１８】
2005309503.tif 000020
【図１９】
2005309503.tif 000021
【図２０】
2005309503.tif 000022
【図２１】
2005309503.tif 000023
【図２２】
2005309503.tif 000024
【図２３】
2005309503.tif 000025
【図２４】
2005309503.tif 000026
【図２５】
2005309503.tif 000027
【図２６】
2005309503.tif 000028
【図２７】
2005309503.tif 000029
【図２８】
2005309503.tif 000030
【図２９】
2005309503.tif 000031
【図３０】
2005309503.tif 000032
【図３１】
2005309503.tif 000033
【図３２】
2005309503.tif 000034
【図３３】
2005309503.tif 000035
【図３４】
2005309503.tif 000036
【図３５】
2005309503.tif 000037
【図３６】
2005309503.tif 000038
【図３７】
2005309503.tif 000039
【図３８】
2005309503.tif 000040
【図３９】
2005309503.tif 000041
【図４０】
2005309503.tif 000042
【図４１】
2005309503.tif 000043